(57)【要約】【解決手段】本開示は、熱源（例えば、データセンタ）の冷却と水産養殖のためのシステムを提供する。あるいくつかの態様で、システムは冷水を受け入れ温水を排出するように構成された水冷サブシステムを備える熱源（例えば、データセンタ）と、該熱源（例えばデータセンタ）と併設され、温水を受け入れるように構成された水産養殖センタとを含む。発明の態様はまた、水冷サブシステムを使用して熱源（例えば、データセンタ）を冷却し、該熱源（例えば、データセンタ）と併設された水産養殖センタで水生生物を養殖する方法も含む。
2016514450.tif 000002
【特許請求の範囲】
【請求項１】
（ａ）冷水を受け入れ温水を排出するように構成された水冷サブシステムを備える熱源、及び
（ｂ）前記熱源と併設され、前記排出された温水を受け入れるように構成された水温制御サブシステムを備える水産養殖センタ
を備えるシステム。
【請求項２】
前記冷水は大洋又は海から受け入れられることを特徴とする請求項１に記載のシステム。
【請求項３】
前記水冷サブシステムは取水口を有することを特徴とする請求項１に記載のシステム。
【請求項４】
前記取水口は水源の１５ｍ以上の深度に配置されていることを特徴とする請求項３に記載のシステム。
【請求項５】
前記取水口は水源内の有光層より下に配置されていることを特徴とする請求項３に記載のシステム。
【請求項６】
前記水産養殖センタから水を排出するための排水口を更に備える請求項１から５のいずれかに記載のシステム。
【請求項７】
前記排水口は水域の１５ｍ以上の深度に配置されていることを特徴とする請求項６に記載のシステム。
【請求項８】
前記水域は、前記水冷サブシステムが前記冷水を受け入れるのと同一の水域であることを特徴とする請求項７に記載のシステム。
【請求項９】
前記データセンタ及び前記水産養殖センタと併設された発電所を更に備えることを特徴とする請求項１から８のいずれかに記載のシステム。
【請求項１０】
前記発電所は前記データセンタ及び前記水産養殖センタの両方に動作可能に接続されていることを特徴とする請求項９に記載のシステム。
【請求項１１】
前記熱源及び水産養殖センタは、独立して稼働している同一の熱源及び水産養殖センタと比較して、発生させる炭素排出がより少なくなるように構成されていることを特徴とする請求項１から１０に記載のシステム。
【請求項１２】
前記熱源及び水産養殖センタは、独立して稼働している同一の熱源及び水産養殖センタと比較して、熱源冷却量あたり及び養殖される水生生物の量あたりの使用エネルギーがより少なくなるように構成されていることを特徴とする請求項１から１１のいずれかに記載のシステム。
【請求項１３】
前記熱源はデータセンタであることを特徴とする請求項１から１２のいずれかに記載のシステム。
【請求項１４】
前記データセンタの電力使用効率は２未満であることを特徴とする請求項１３に記載のシステム。
【請求項１５】
熱源を冷却する方法であって、
（ａ）冷水取水口及び温水排水口を有する水冷サブシステムで前記熱源を冷却すること、及び
（ｂ）前記熱源と併設され、前記温水排水口から水を受け入れる温水取水口を有する水温制御サブシステムを備える水産養殖センタで水生生物を養殖すること
を備える方法。
【発明の詳細な説明】
【背景技術】
【０００１】
近年、米国内のインターネットトラフィックは著しく増えている。米国で、インターネットトラフィックは２００１年の４０，０００〜７０，０００テラバイト／月から、２０１１年には３，４００，０００〜４，１００，０００テラバイト／月に増えたと推計されている。インターネットトラフィックの急な増加を支えるため、多くのコンピュータに関するインフラストラクチャが開発及び実行されてきた。利用が増えたインフラストラクチャの一つのタイプは、データセンタである。
【０００２】
データセンタは、コンピュータシステム及びコンピュータシステムで作動するための関連する構成要素を収容する設備である。データセンタは、コンピュータ、データ記憶装置、サーバ、電気通信システム又は他の関連する機器を有していてもよく、デジタル情報及びデータの管理、格納、処理及び／又は交換に使用してもよい。これらの機能のためのデータセンタ内の電気的構成要素の作動は、多量の熱を発生させる。そのため、多くのデータセンタは、電気的構成要素が効果的に機能できるように、それら電気的構成要素を冷却するために設計された複雑な冷却システムを有する。
【先行技術文献】
【特許文献】
【０００３】
【特許文献１】米国特許出願公開第２０１２／０２４７１４９号明細書
【発明の概要】
【発明が解決しようとする課題】
【０００４】
データセンタ内の電気的構成要素及び冷却システムの作動は、しばしば大量のエネルギーを必要とする。データセンタの電力使用は、数ｋＷから数十ＭＷの範囲になり得る。データセンタは、作動に例えば小さな町ほどの多くの電力を使用することがある。データセンタの電力密度もまた、一般的なオフィスビルの１００倍を超えることがある。
【０００５】
データセンタの大量の電力使用によって、データセンタはまたしばしば大量の炭素排出の責任を負う。例えば、２００７年に、データセンタは米国の総電力消費量の１．５％を占めたと推計される。同様に、同年にデータセンタは米国の温室効果ガス排出量の０．５％を占めたと推計される。データセンタからの温室効果ガス排出量は、将来も上昇すると予測される。例えば、データセンタからの温室効果ガス排出量は、２０２０年までに２００７年のレベルの倍になると推定される。
【０００６】
データセンタが占める温室効果ガス排出量の一つの要因は、データセンタのエネルギー効率である。データセンタのエネルギー効率の一般的な指標は、電力使用効率、すなわち「ＰＵＥ」である。後述するように、ＰＵＥはシステムの電子（例えば、情報技術）機器が使用する電力量に対するシステム（例えば、データセンタ）の総電力量の比である。米国の平均的なデータセンタは、２．０のＰＵＥを有する。しかしながら、データセンタは２．０未満のＰＵＥを有するように開発されてきた。低いＰＵＥ値を有するデータセンタは高いＰＵＥ値を有するデータセンタよりエネルギー効率が高いので、環境に与える影響も小さい（例えば、炭素排出量がより少ない）。このため、低いＰＵＥ値を有するデータセンタを開発することは、将来におけるデータセンタ関連の温室効果ガスの全排出量の削減に一役買うことができる。
【課題を解決するための手段】
【０００７】
本開示は、熱源、例えばデータセンタ、の冷却及び水産養殖のためのシステムを提供する。あるいくつかの態様で、システムは、水産養殖センタと併設されてあり（且つ動作可能に接続された）冷水を受け入れて温水を排出するように構成された水冷サブシステムを有する熱源（例えばデータセンタ）を含む。ここで例えば、水産養殖センタは水冷サブシステムから温水を受け入れるように構成されている。本発明の態様はまた、水冷サブシステムを用いて熱源（例えばデータセンタ）を冷却し、該熱源（例えばデータセンタ）と併設された水産養殖センタで水生生物を養殖する方法を提供する。
【０００８】
種々の例で、本開示のシステムは、冷水を受け入れて温水を排出するように構成された水冷サブシステムを備えるデータセンタと、該データセンタと併設され、排出された温水を受け入れるように構成された水温制御サブシステムを有する水産養殖センタとを含む。いくつかの実施形態では、冷水は大洋又は海から受け入れられる。
【０００９】
水冷サブシステムを備えるシステムのあるいくつかの実施形態は取水口を有する。いくつかの態様で、取水口は、水源の１５ｍ以上、例えば２０ｍ以上、２５ｍ以上、３０ｍ以上、３５ｍ以上等の深度に配置されていてもよい。特定のいくつかの変形例では、取水口は水源内の有光層より下に配置されている。
【００１０】
選ばれた態様で、システムは、水産養殖センタから水を排出するように構成された排水口を有する。特定のいくつかの態様で、排水口は水域（例えば、大洋又は海）の１５ｍ以上、例えば２０ｍ以上、２５ｍ以上、３０ｍ以上、３５ｍ以上等の深度に配置されている。いくつかの実施形態では、排水口が配置されている水域は、システムの取水口が配置されている水域と同じ大洋又は海である。
【００１１】
いくつかの態様で、開示されたシステムのデータセンタの電力使用効率（ＰＵＥ）は２以下である。いくつかの態様で、開示されたシステムのデータセンタのＰＵＥは、１から１．３までの範囲である。いくつかの例で、開示されたシステムのデータセンタ及び水産養殖センタは、独立して稼働している同一のデータセンタ及び水産養殖センタと比較して、より少ない炭素排出を発生させるように構成されている。システムのいくつかの態様で、データセンタ及び水産養殖センタは、独立して稼働している同一のデータセンタ及び水産養殖センタと比較して、データセンタの冷却量あたり及び養殖された水生生物の量あたりの使用エネルギーがより少なくなるように構成されている。
【００１２】
選ばれた態様で、開示されたシステムは、データセンタ及び水産養殖センタと併設された発電所を有している。いくつかの例で、発電所は、データセンタ及び水産養殖センタの両方に動作可能に接続されている。本開示のシステムのあるいくつかの態様で、データセンタ、水産養殖センタ及び発電所は、独立して稼働している同一のデータセンタ、水産養殖センタ及び発電所と比較して、より少ない炭素排出を発生させるように構成されている。システムのあるいくつかの態様で、データセンタ、水産養殖センタ及び発電所は、独立して稼働している同一のデータセンタ、水産養殖センタ及び発電所と比較して、データセンタの冷却量あたり及び養殖された水生生物の量あたりの使用エネルギーがより少なくなる。
【００１３】
また、本開示により、熱源（例えば、データセンタ）を冷却し水生生物を養殖する方法が提供される。あるいくつかの例で、方法は、（１）熱源（例えば、データセンタ）を冷水取水口及び温水排水口を有する水冷サブシステムで冷却すること、及び（２）例えば上述のシステムを用いて、温水取水口及び冷水排水口を有する水温制御サブシステムを備える水産養殖センタで水生生物を養殖すること、を含む。
【００１４】
本発明は、添付の図と併せて読むとき後述の詳細な記載から最も良く理解されうる。以下の図が図面に含まれる。
【図面の簡単な説明】
【００１５】
【図１】本開示の実施形態による、データセンタ及び該データセンタと併設された水産養殖センタを含むシステムの図である。
【図２】本開示の実施形態による、データセンタ、該データセンタと併設された水産養殖センタ、並びに該データセンタ及び水産養殖センタと併設された発電所を含むシステムの図である。
【発明を実施するための形態】
【００１６】
（定義）
本明細書で使用しさらに詳しく後述する「データセンタ」という用語は、一つ以上のコンピュータシステム及び／又は関連する構成要素を物理的に収容する（すなわちその内に含む）ように構成及び／又は使用される設備を指す。あるいくつかの実施形態では、データセンタはその中に構成要素を有し、デジタル情報及びデータを管理、格納、処理及び／又は交換する。
【００１７】
本明細書で使用する「水産養殖」という用語は、「養殖業」という用語の類義語であり、水生生物（例えば、魚、甲殻類、軟体動物、水生植物等）の養殖（例えば、孵化、及び／又は繁殖、及び／又は飼育）を指す。水産養殖は、制御された条件下での塩水及び／又は淡水の水生生物個体群の養殖を含んでもよい。「水産養殖」は、その場所の光合成産物に基づく「粗放水産養殖」及び／又は生物が外部からの餌供給で給餌される「集約水産養殖」であってもよい。水産養殖が特に魚の養殖に限定されるあるいくつかの実施形態では、「養魚」という。
【００１８】
本明細書で使用しさらに詳しく後述する「水産養殖センタ」は、水生生物（すなわち、水中又は水際で生息及び／又は成長する生物）を養殖するために構成及び／又は使用される設備を意味する。あるいくつかの実施形態では、水産養殖センタは、水生生物の養殖にとって重要な条件（例えば、水温、ｐＨ、酸素供給、バクテリア濃度等）を制御するように構成された構成要素を収容する。
【００１９】
同様に、本明細書で使用しさらに詳しく後述する「脱塩プラント」という用語は、水を脱塩するために構成及び／又は使用される設備を指す。いくつかの実施形態では、脱塩プラントは、水を脱塩するための構成要素を収容する。
【００２０】
本明細書で使用する「脱塩する」及び「脱塩」という用語は、塩水（すなわち、ある濃度の少なくとも一つの溶解塩を含む水）から、ある量の塩及び／又は他の鉱物若しくは成分を除くいくつかの処理のいずれかを指す。開示されたシステムのいくつかの実施形態では、脱塩は、水が生体による消費に適合する（すなわち生体が水を消費し、それによって健康な水和レベルを保持し得る、及び／又は生体が、水がその生体に有害な影響を及ぼすことなく水を消費し得る）ように、塩水からある量の塩及び／又は他の鉱物若しくは成分を除くことである。開示されたシステムのいくつかの実施形態では、脱塩は、水を飲用にする。あるいくつかの実施形態では、生体は「哺乳類」又は「哺乳動物」であり、これらの語を、肉食動物類（例えば、イヌ及びネコ）、齧歯類（例えばマウス、モルモット、ラット）及び霊長類（例えばヒト、チンパンジー、サル）を含む哺乳動物クラス内の生物を記載するために広範囲に使用する。いくつかの実施形態では、生体はヒトである。「ヒト」という用語は、両方の性及びあらゆる成長段階（例えば胎児、新生児、幼児、若年、青年、成年）のヒト被検者を含んでもよく、あるいくつかの実施形態では、ヒト被検者は若年、青年、又は成年である。開示されたシステムのいくつかの実施形態では、脱塩は、水が特定の目的（例えば灌漑）に適合するように、塩水から、塩及び／又は他の鉱物若しくは成分を除くことである。
【００２１】
本明細書で使用する「併設する」、「併設された」及び「併設」という用語は、２つ以上のものを近接して（すなわち特定の距離内に）設置することを指す。開示されたシステムのいくつかの態様で、併設されるユニットを、それらが一つ以上の共通の特徴（例えば特定のシステム又は機械のような設備又は構成要素）を共用するように設置してもよい。いくつかの態様で、併設されるユニットを、例えば互いに０．１ｍ、１ｍ、１０ｍ、１００ｍ、１，０００ｍ、１０，０００ｍ、又は１００，０００ｍ以内に設置してもよい。あるいくつかの実施形態では、併設されたユニットは、直近又は隣接する領域又は区画に設置された２つ以上の設備である。あるいくつかの実施形態では、併設されたユニットは、同一の領域に位置付けられた２つ以上の設備である。開示されたシステムのいくつかの態様で、併設されたユニットが流体連通するように配置してもよい（すなわち、少なくとも１種類の流体がユニット間で移動及び／又は流動してもよいようにユニットが構成されている。）。開示されたシステムのあるいくつかの変形例で、併設されたユニットは、本明細書に記載された一つ以上の構成要素（例えば、水冷サブシステム）を共用するように位置付けられる。開示されたシステムのあるいくつかの実施形態では、併設されたユニットが電気的に接続される（すなわち少なくとも一つの導電性物質により接続される）、及び／又は少なくとも一つの電気的構成要素を共用するように、併設されたユニットを位置付けてもよい。あるいくつかの例で、併設されたユニットは、それらが異なる位置で（例えば互いにもっと離れた距離で）位置付けられる場合のユニットの状態より、エネルギー効率を良くできる（すなわち同一量の生産性に対して使用エネルギーが少ない）ように配置される。種々の実施形態では、併設されたユニットは、それらが異なる位置で（例えば互いにもっと離れた距離で）位置付けられる場合のユニットの状態より、それらの炭素排出（例えば、二酸化炭素排出）を少なくできる、又はカーボンフットプリントを少なくできるように位置付けられる。いくつかの選ばれた態様で、併設されたユニットは、それらから放出される潜在的汚染物質（例えば熱汚染）を最小化しうるように設置される。開示されたシステムのあるいくつかの態様では、併設されたユニットを、それらが動作可能に接続されるように配置してもよい。
【００２２】
本明細書で使用する「動作可能に接続される」という用語は、開示されたシステム及びその種々の構成要素が本明細書に記載された方法で効果的に作動するのを可能にする特定の方法で（例えば水の移動を可能にする、及び／又は電力の伝送を可能にする方法で）接続されることを意味する。例えば、データセンタに動作可能に接続された発電所は、データセンタを作動するために必要とされるエネルギーが発電所から少なくとも部分的に得られるように、発電所とデータセンタとの間に電気が流れる（すなわち、少なくとも一つの導電性物質に沿って伝送される）ことを可能にし得る。
【００２３】
（詳細な説明）
本開示は、熱源（例えば、データセンタ）の冷却及び水産養殖のためのシステムを提供する。あるいくつかの態様では、システムは、冷水を受け入れて温水を排出するように構成された水冷サブシステムを備える熱源（例えば、データセンタ）と、該熱源（例えば、データセンタ）と併設され、排出された温水を受け入れるように構成された水産養殖センタとを含む。本発明の態様はまた、水冷サブシステムを使用して熱源（例えば、データセンタ）を冷却し、且つ該熱源（例えば、データセンタ）と併設された水産養殖センタで水生生物を養殖する方法も含む。
【００２４】
本発明を詳述する前に、本発明は記載される特定の実施形態に限定されず、それ自体を当然変更しうることを理解すべきである。本発明の範囲は添付の特許請求の範囲によってのみ限定されるので、本明細書で使用される語句は特定の実施形態を記載する目的のみであり、限定を意図するものではないこともまた理解すべきである。
【００２５】
値の範囲が示される場合、文脈が別段明示しない限り、その範囲の上限と下限との間の下限の単位の１０分の１までのそれぞれの間にある値もまた具体的に開示されていることが理解される。あらゆる提示された値又は提示された範囲内の間にある値とあらゆる他の提示された値又はその提示された範囲内の間にある値との間のそれぞれのより小さい範囲が、本発明内に含まれる。これらのより小さい範囲の上限及び下限を独立して範囲内に含める又は除いてもよく、提示された範囲内のあらゆる特に除外された上限又は下限によって、上限及び下限の一方がより小さい範囲内に含まれる、どちらも含まれない、又は両方含まれるそれぞれの範囲もまた本発明内に含まれる。提示された範囲が上限及び下限の一つ又は両方を含む場合、それらの含まれる上限及び下限のどちらか又は両方を除く範囲もまた本発明内に含まれる。
【００２６】
別段定義されないかぎり、本明細書で使用する全ての技術的及び科学的用語は、本発明の当業者が一般的に理解する場合と同一の意味を有する。本明細書に記載されたものと同様又は均等なあらゆる方法及び材質を本発明の実践又はテストで使用可能であるが、いくつかの可能性があり例示的な方法及び材質をこれから記載できる。本明細書で記したあらゆる全ての刊行物は、刊行物が関連して引用された方法及び／又は材質を開示及び記載するため、参照により本明細書に組み込まれる。矛盾がある範囲への組み込まれた刊行物のあらゆる開示に、本開示が優先することが理解される。
【００２７】
本明細書及び添付の特許請求の範囲で使用される単数形「一つ」及び「その」は、文脈が明らかに他を述べていない限り、複数の指示対象を含むことに留意しなければならない。よって、例えば、「一つの取入口」の記述は複数のそのような取入口を含み、「その材質」の記述は一つ以上の材質及び当業者に公知のその均等物などの記述を含む。
【００２８】
尚、本出願の一つのセクション（例えば「システム」セクション）で示される定義は、用語が特定のセクションの実施形態に適用すると記載される場合でも、この出願の他のセクション（例えば「方法」セクション）に記載される実施形態にも適用してもよい。
【００２９】
また、特許請求の範囲は任意でありうるあらゆる構成要素を除いて記される場合がある。そのため、この記述は、特許請求の範囲の構成要素の記述に関連した「単に」、「のみ」などのような除外の語句の使用、又は「否定の」限定の使用について先行記載として機能するように意図する。
【００３０】
本明細書で述べる刊行物は、本出願の出願日前のそれらの開示についてのみ示す。本明細書のどの部分も、本発明が先行の発明との理由でそのような刊行物に先行する権限を与えられないと認めると解釈すべきでない。さらに、示された公開日は実際の公開日と異なるかもしれず、実際の公開日を自主的に確認する必要があることがある。そのような刊行物が本開示の明示的又は暗黙的定義と矛盾する用語の定義を記していることがある範囲には、本開示の定義が優先する。
【００３１】
当業者がこの開示を読んで明らかなように、本明細書に記載及び示されるそれぞれの個別の実施形態は、本発明の範囲又は趣旨から逸脱することなくあらゆる他のいくつかの実施形態の機能から容易に切り離し、又はそれらと組み合わせうる個別の構成要素及び機能を有する。あらゆる列挙の方法を、列挙の事象の順序で、又は論理的に可能なあらゆる他の順序で実行可能である。
【００３２】
（システム）
本開示は、熱源の冷却及び水産養殖のためのシステムを提供する。システムは、水（例えばそれぞれ冷水及び温水）を受け入れて排出するように構成された水冷サブシステムを持つ熱源と、該熱源と併設され、排出水（例えば温水）を受け入れるように構成された水産養殖センタとを有する。
【００３３】
最も広い意味では、水冷サブシステムによって冷却され得るどのような熱源も本発明のシステムに併設され得る。該当の熱源には、データセンタ、発電所、発電機（例えば、レシプロエンジン）、冷蔵施設、等が含まれるが、これらには限定されない。更なる記述のために、本発明の熱源はデータセンタの実施形態の観点で更に記述される。しかしながら、本発明はこれに限定されないことが理解される。
【００３４】
図１は、データセンタ１０１、該データセンタと併設された水産養殖センタ１０２、水源１０５内の有光層１０４より下に位置する取水口１０３、この態様では水源と同一の水域内の有光層１０４より下に位置する排水口１０６を含む、開示されたシステム１００の一つの実施形態の図を提供する。図１はまた、水のシステム内での移動可能な方向１０７−１０９、データセンタ１０１と水産養殖センタ１０２との間の動作可能な接続部（例えばそれを通して水が移動し得る、及び／又は電力が伝送され得る接続部）１１０、及び連結要素１１１並びにさらに後述する他の構成要素及び態様も示す。
【００３５】
あるいくつかの例で、及び図２で示されるように、対象のシステム２００は、データセンタ１０１、該データセンタと併設された水産養殖センタ１０２を含む図１で示されたものと同一の構成要素及び態様の多くを有してもよく、該データセンタ及び水産養殖センタと併設された発電所２０１、該発電所、データセンタ及び／又は水産養殖センタの間の動作可能な接続部２０２、２０３（例えばそれを通って水が移動しうる、及び／又は電力が送達されうる接続部）、ならびに本明細書に記載された他の構成要素及び態様をまた有してもよい。
【００３６】
システムの実施形態の種々の態様を、以下に詳述する。
【００３７】
（データセンタ）
開示されたシステムの実施形態は、一つ以上のデータセンタを含む。本明細書で使用される「データセンタ」という用語は、一つ以上のコンピュータシステム及び／又は関連する構成要素を物理的に収容する（すなわちその内に含む）ように構成及び／又は使用される設備をいう。あるいくつかの実施形態では、データセンタはその中に構成要素を有し、デジタル情報及びデータを管理、格納、処理及び／又は交換する。
【００３８】
ある特定の態様で、データセンタは、コンピュータ、データ記憶装置、サーバ（例えば、ウェブサーバ、データベースサーバ及び／又はアプリケーションサーバ）、スイッチ、ルータ、保管庫、ロードバランサ、ラック、ワイヤケージ又はクロゼット、及び／又は関連する機器を有してもよい。データセンタは、冗長データ通信接続部、バックアップ又は冗長電源装置、セキュリティ装置、及び／又は消火システムを有してもよい。いくつかの例で、データセンタは、データ記憶システム及び／又は電気通信システムを有する。
【００３９】
データセンタのいくつかの態様は、アプリケーションサービスの提供、又は種々のタイプのデータ処理（例えば、イントラネット、ウェブホスティングインターネット）の管理に使用される。あるいくつかの実施形態では、データセンタは、例えば一つ以上のキャリアの電気通信ネットワークを運営及び管理するため、一つ以上のキャリアの顧客への直接のデータセンタアプリケーションを提供するため、及び／又は顧客にサービスを提供する一つ以上のサードパーティのためのホスト型アプリケーションを提供するために使用される。
【００４０】
データセンタの実施形態は、一つ以上の建物内にあるデータセンタを含む。あるいくつかの態様で、データセンタは、建物の一つ以上の部屋、一つ以上の階、又は建物全体を占める。
【００４１】
いくつかの例で、データセンタは電力を動力とする。例えば、データセンタのあるいくつかの実施形態は、稼働するために電力を消費する。データセンタの電力取出量は、数ｋＷ（例えば１、２、３、４又は５ｋＷ）から大規模設備の数十ＭＷ（例えば１０、２０、３０、４０、５０、６０、７０、８０又は９０ＭＷ）の範囲であり得る。データセンタの選ばれた態様で、データセンタは平均的なオフィスビルの１００倍を超える出力密度を有する。データセンタのいくつかの実施形態では、電力コストがデータセンタの稼働費用の主たるものであり、データセンタの総所有コストの１０％以上を占めることがある。
【００４２】
データセンタの実施形態は、少なくとも一つの動力源（例えば本明細書に記載されたような一つ以上の発電所）に動作可能に接続されている。データセンタのあるいくつかの態様は、動力源（例えばそこから電力を得ることができる電源）を有する。いくつかの実施形態では、動力源は再生可能エネルギー源から動力を生成又は取得する。再生可能エネルギー源は、例えばエネルギーの一つ以上の形態（例えば太陽光、風力、波力、バイオ燃料、バイオマス、潮力及び／又は地熱エネルギー）を他の形態（例えば、電力）へ変換するように構成された一つ以上のシステム又は装置を有する。例えば、動力源は一つ以上の太陽光パネルであってもよい。
【００４３】
あるいくつかの実施形態では、データセンタは、データセンタ又はその構成要素により実行される各機能に対してある量のエネルギーを使用する。例えば、データセンタ又はデータセンタを含むシステムは、データセンタ冷却量あたり特定の量のエネルギーを使用することがある。いくつかの態様で、データセンタ又はデータセンタを含むシステムは、データセンタ又はデータセンタを含むシステムの電力使用効率（ＰＵＥ）として定量化し得るある程度のエネルギー効率（例えば、１．０、１．１、１．２、１．３、１．４、１．５、１．６、１．７、１．８、１．９、又は２．０のＰＵＥ）を有する。ＰＵＥは、システム（例えば、データセンタ及び選択的に、脱塩プラント及び／又は発電所のようなデータセンタの動力源）に入る総電力の、コンピュータシステム及び／又はシステム（例えば、データセンタ）内の関連する構成要素（例えば、情報技術機器）により使用される電力に対する比である。種々の態様で、ＰＵＥはデータセンタインフラストラクチャ効率（ＤＣｉＥ）に反比例する。いくつかの態様で、システム（例えば、データセンタ）は、例えば、１．８、１．７、１．６、１．５、１．４、１．３、１．２又は１．１以下といった、１．９以下のような２．０以下のＰＵＥ（例えば１．０から２．０までの範囲のＰＵＥ）を有する。いくつかの実施形態では、システム（例えば、データセンタ）は、１．０から１．３までの範囲のＰＵＥを有する。いくつかの例で、システム（例えば、データセンタ）は、１．０又は約１．０のＰＵＥを有し、１．０又は約１．０のＰＵＥは、１．０近辺で１．０より大きい（例えば、１．０１又は１．０２又は１．０３又は１．０４又は１．０５又は１．０６又は１．０７又は１．０８又は１．０９又は１．１又は１．１５又は１．２又は１．２５又は１．３、及び／又は１．０１から１．３０の範囲内）ＰＵＥである。本発明のデータセンタのＰＵＥの決定においては、データセンタ冷却サブシステムから排出された温水の脱塩で脱塩プラントが使用するエネルギーの減少を示す構成要素を考慮に入れてもよい。この構成要素をＰＵＥの決定要因とするあらゆる好都合なプロトコルを採用してもよい。例えば、脱塩プラント及びデータセンタを併設した結果の脱塩プラントにより（及び特に、データセンタからの温排水を用いることにより）使用されるエネルギーの減少分を、データセンタ内へのエネルギー入力量に加えてもよく、それはコンピュータシステム及び／又は関連する構成要素（例えば、情報技術機器）により使用される。
【００４４】
いくつかの実施形態では、データセンタ及び／又はデータセンタの動力源は、炭素排出を発生させる。いくつかの態様で、データセンタ（例えば独立して稼働しているデータセンタ）は、データセンタ又はその構成要素により実行される各機能又は機能の一部について炭素排出を発生させる。
【００４５】
データセンタは、あるいくつかの例で熱を生じる。そのため、データセンタのあるいくつかの態様は、データセンタ内の環境の少なくとも一部を制御する環境制御システム（例えば、一つ以上の空調ユニット）を有する。いくつかの態様で、環境制御システムは、本明細書に記載される水冷サブシステムを有する。いくつかの態様で、環境制御システムは、データセンタの少なくとも一部を加熱及び／又は冷却するように構成された温度制御システムを有する。いくつかの例で、環境制御システムは、データセンタの少なくとも一部で湿度を制御するように構成された湿度制御システムを有する。いくつかの態様で、環境制御システムは、データセンタの少なくとも一部で気圧レベルを制御するように構成された気圧制御システムを有する。環境制御システムのいくつかの態様は、データセンタの少なくとも一部及び／又はその中のコンピュータ関連機器を１６℃から２４℃の間の温度（例えば、１７℃、１８℃、１９℃、２０℃、２１℃、２２℃又は２３℃）、及び／又は４０％〜５５％の湿度範囲内、及び／又は１５℃の最高露点で維持するように構成されている。
【００４６】
種々の例で、及び上述のように、データセンタは一つ以上の水冷サブシステムを有する。本明細書で使用する「水冷サブシステム」又は「複数の水冷サブシステム」という用語は、データセンタの少なくとも一つの構成要素（例えば、サーバ）又はデータセンタの一部（例えば部屋）を冷却するように構成された、少なくとも部分的にデータセンタ内に配置された相互接続された構造をいう。所望の場合、水冷サブシステムの相互接続された構造は、一つの場所（例えば、取入場所）から他の場所へ水を運ぶように構成された一つ以上の構成要素（例えば管及び／又はコンテナ）を有する。あるいくつかの実施形態では、水冷サブシステムは、温水排水口及び／又は排出口を有する。いくつかの実施形態では、水冷サブシステムは、サブシステム内に水を受け入れる取入口、及び水をサブシステムから排水する温水排水口及び／又は排出口を除いて水密である。選ばれた例で、水冷サブシステムは、大洋及び／又は海及び／又は川及び／又は湖及び／又は地下水源及び／又は他の水源から水（例えば、冷水）を受け入れるように構成されていてもよい。いくつかの態様で、水冷サブシステムは、水産養殖センタ（例えば、塩水水産養殖センタ）又はその構成要素（例えば、水温制御サブシステム）に動作可能に接続（例えば、流体連通）されていてもよい。
【００４７】
本明細書で使用する「水」という用語は、Ｈ2Ｏの化学式を持つ化合物を指す。水は塩水（例えば海水）でもよく、そのためその中に溶解した一つ以上の成分（例えば塩）を含んでもよい。塩水（例えば、海水）は、約３．５％（３５ｇ／Ｌ、又は５９９ｍＭ）の塩濃度（例えば３．４％から３．６％、又は３．１％から３．８％の塩濃度）を有してもよい。水はまた、淡水（すなわち、塩水より低い溶解塩の濃度を有する水）であってもよい。淡水は脱塩された水であってもよい。自然にある淡水は例えば、小川、池、川、氷山、氷帽、氷河、帯水層、及び／又は湖において見出され得る。淡水は、海水又は汽水（すなわち、淡水よりは多く塩分を含むが海水ほどは塩分を含まない水）を含まない。淡水は例えば０．０５％未満の溶解塩濃度を有していてもよい；汽水は例えば０．０５％から３％の間の溶解塩濃度を有していてもよい；塩水（例えば海水）は例えば３％から５％の間の溶解塩濃度を有していてもよい；濃塩水は、例えば５％を超える溶解塩濃度を有していてもよい。水はまた、液体及び／又は気体の形態であってもよい。
【００４８】
本願に記載の水はまた、様々な異なる温度を有してもよい。本明細書で使用する「冷」水は、本明細書に記載する「温」水より低い温度を有する水を意味する。いくつかの態様で、冷水の温度は１℃から３５℃の範囲内である。例えば、いくつかの例で、冷水の温度は以下の範囲のうちの一つである。１℃から１０℃、１１℃から２０℃、２１℃から３０℃、３１℃から３５℃、１２℃から１９℃、１３℃から１８℃、１４℃から１７℃、１５℃から１６℃、１℃から２０℃、２℃から１９℃、３℃から１８℃、４℃から１７℃、５℃から１６℃、６℃から１５℃、７℃から１４℃、７℃から１３℃、８℃から１２℃、又は９℃から１１℃。特定の態様で、冷水と温水との間の温度差は、１℃から９９℃の範囲であってもよい。例えば冷水と温水との間の温度差は、１℃、２℃、３℃、４℃、５℃、６℃、７℃、８℃、９℃、１０℃、１１℃、１２℃、１３℃、１４℃、１５℃、１６℃、１７℃、１８℃、１９℃、２０℃、２１℃、２２℃、２３℃、２４℃、２５℃、２６℃、２７℃、２８℃、２９℃、３０℃、３１℃、３２℃、３３℃、３４℃、３５℃、３６℃、３７℃、３８℃、３９℃、４０℃、４１℃、４２℃、４３℃、４４℃、４５℃、４６℃、４７℃、４８℃、４９℃、５０℃、５１℃、５２℃、５３℃、５４℃、５５℃、５６℃、５７℃、５８℃、５９℃、６０℃、６１℃、６２℃、６３℃、６４℃、６５℃、６６℃、６７℃、６８℃、６９℃、７０℃、７１℃、７２℃、７３℃、７４℃、７５℃、７６℃、７７℃、７８℃、７９℃、８０℃、８１℃、８２℃、８３℃、８４℃、８５℃、８６℃、８７℃、８８℃、８９℃、９０℃、９１℃、９２℃、９３℃、９４℃、９５℃、９６℃、９７℃、９８℃、又は９９℃であってもよい。冷水と温水との間の温度差はまた、例えば、少なくとも１℃、少なくとも２℃、少なくとも３℃、少なくとも４℃、少なくとも５℃、少なくとも１０℃、少なくとも１５℃、少なくとも２０℃、少なくとも２５℃、少なくとも３０℃、少なくとも３５℃、少なくとも４０℃、又は少なくとも５０℃であってもよい。いくつかの態様で、冷水が本明細書に記載されたシステムの構成要素（例えば、取水口）を入る及び／又は出るとき、冷水は上記で挙げた範囲のうちの一つ以内の温度を有していてもよい。いくつかの態様で、冷水は、冷水が取水された水源と同一の温度を有していてもよい。例えば、冷水は、本明細書中に開示されるシステムの一つ以上の構成要素（例えば、取水口及び／又は排水口）周辺の（例えばその場所、又は１ｍ及び／又は１０ｍ及び／又は１００ｍ及び／又は１０００ｍの距離内の）大洋又は海の一部と同一の温度を有していてもよい。開示されたシステムのあるいくつかの態様で、冷水は大洋又は海からシステム内へ受け入れられる。いくつかの例で、冷水の温度は、水が開示されたシステムを通って進むにつれて上昇及び／又は低下する。
【００４９】
本明細書で使用する「温」水は、本明細書に記載する「冷」水より高い温度を有する水を意味する。いくつかの態様で、温水の温度は３６℃から１００℃の範囲内である。例えば、いくつかの例で、温水の温度は以下の範囲のうちの一つである。３６℃から４０℃、４１℃から５０℃、５１℃から６０℃、６１℃から７０℃、７１℃から８０℃、８１℃から９０℃、９１℃から９９℃、４０℃から４５℃、４６℃から５０℃、５１℃から５５℃、５６℃から６０℃、６１℃から６５℃、６６℃から７０℃、３６℃から６０℃、３７℃から５９℃、３８℃から５８℃、３９℃から５７℃、４０℃から５６℃、４１℃から５５℃、４２℃から５４℃、４３℃から５３℃、４４℃から５２℃、４５℃から５１℃、４６℃から５０℃、又は４７℃から４９℃。上述のように、特定の例で、冷水と温水との間の温度差は１℃から９９℃の範囲であってもよい。例えば冷水と温水との間の温度差は、少なくとも１℃、少なくとも２℃、少なくとも３℃、少なくとも４℃、少なくとも５℃、少なくとも１０℃、少なくとも１５℃、少なくとも２０℃、少なくとも２５℃、少なくとも３０℃、少なくとも３５℃、少なくとも４０℃、又は少なくとも５０℃であってもよい。いくつかの態様で、温水が本明細書に記載されたシステムの構成要素（例えば、排水口）を入る及び／又は出るとき、温水は上記で挙げた範囲のうちの一つ以内の温度を有していてもよい。いくつかの態様で、温水は、冷水が取水された水源より高い温度を有していてもよい。例えば、温水は、本明細書中に開示されるシステムの一つ以上の構成要素（例えば、取水口及び／又は排水口）周辺の（例えばその場所、又は１ｍ及び／又は１０ｍ及び／又は１００ｍ及び／又は１０００ｍの距離内の）大洋又は海の一部より高い温度を有していてもよい。いくつかの実施形態では、温水の温度は、水が開示されたシステムを通って進むにつれて上昇及び／又は低下する。
【００５０】
いくつかの態様で、水冷サブシステムは、データセンタ内の少なくとも一つの場所（例えばデータセンタにより熱が生じる場所）に冷水を運ぶように構成されていてもよく、そこで冷水が熱せられ、それによって温水に変換される。冷水を水冷サブシステムの熱交換要素内で熱して温水に変換してもよく、それは詳しく後述する。いくつかの例で、水冷サブシステムはまた、温水をデータセンタ内の一つの場所（例えば、熱交換要素の場所）から他の場所（例えば一つ以上のコンピュータシステム及び／又は関連する構成要素を有するデータセンタの一部の外側の場所）へ運ぶように構成されていてもよい。所望の場合、水冷サブシステムは、生成された熱エネルギーを水冷サブシステム内（例えば、水冷サブシステムの熱交換要素内）の水（例えば冷水）に移送し、その後熱せられた水（例えば温水）をそれが熱せられたデータセンタ内の場所から移送することを可能にすることにより、熱エネルギーを生成する一つ以上のコンピュータシステム及び／又は関連する構成要素から熱エネルギーを奪って運ぶように構成されている。データセンタ内の水を移送し、それによってデータセンタ内の一つ以上のコンピュータシステム及び／又は関連する構成要素を冷却することにより、水冷サブシステムは、システム及び／又は構成要素が効果的に稼働しうる環境を提供することによって、システム及び／又は構成要素の動作を最適化する。
【００５１】
あるいくつかの例で、水冷サブシステムは熱交換要素を有する。特定の実施形態では、熱交換要素は、データセンタ内の一つ以上の場所及び／又は構成要素を冷却するように構成されている。例えば、データセンタの第１の場所及び／又は第１の場所の構成要素が冷却されるように、熱交換要素が、第１の場所でデータセンタにより生じた熱を媒介物（例えば空気及び／又は水）へ交換し、その後熱せられた媒介物を第２の場所へ移送することを可能にするように構成されていてもよい。いくつかの態様で、媒介物（例えば、冷水）が（例えば水冷サブシステムの第１の部分から）熱交換要素内へ向けられてもよく、及び／又は媒介物（例えば、温水）が熱交換要素外へ（例えば水冷サブシステムの第２の部分へ）向けられてもよいように、熱交換要素が構成されている。
【００５２】
選ばれた態様で、熱交換要素は空調システム（例えば、一つ以上の空調ユニット）である。いくつかの例で、熱交換要素は、熱を生じるデータセンタの構成要素（例えば、電気的構成要素）の周辺（例えばデータセンタの構成要素と同じデータセンタの部屋の中）の空気を冷却するように構成されている。いくつかの例で、熱交換要素は、熱を生じるデータセンタの構成要素（例えば、電気的構成要素）の周辺（例えばデータセンタの構成要素と同じデータセンタの部屋の中）の空気（例えば、データセンタ構成要素により熱せられた空気）から熱を冷水へ移すことを可能にするように構成されている。そのような交換により、空気の冷却及び水の（例えば温水への）加熱がもたらされる。従って、いくつかの態様で、冷水は熱交換要素内で温水へ熱せられる。あるいくつかの例で、熱交換要素は、データセンタの構成要素により熱せられた空気をその構成要素が設置されたデータセンタの領域（例えば、部屋）から除去するように構成されている。
【００５３】
あるいくつかの実施形態では、熱交換要素は、データセンタの構成要素（例えば、熱を生じる電気的構成要素）と物理的に一体化した一つ以上の導管（例えば広い内表面及び／又は外表面を持つ導管）である。所望の場合、熱交換要素は、水がそれらを通して流れ、それによってデータセンタ構成要素から熱を移しうるように構成されている。いくつかの態様で、熱交換要素は、一つ以上の場所（例えば、１、２、３、４又は５か所の場所）で水冷サブシステムの残りの部分に動作可能に接続されている。選ばれた態様で、熱交換要素は、水冷サブシステムの残りの部分と同一の材質、又は異なる材質からなる。開示されたシステムと関連して全体的又は部分的のどちらかで使用してもよい熱交換要素の例は、米国特許第６，３７４，６２７号、米国特許第８，００９，４３０号、米国特許第７，５２５，２０７号、米国特許第７，３４７，０５８号、米国特許第８，００４，８３２号、米国特許第７，８１０，３４１号、米国特許第７，８０８，７８０号、米国特許第６，５７４，１０４号、米国特許第６，８５９，３６６号、米国特許第８，１５７，６２６号、米国特許第７，８８１，０５７号、米国特許第６，９８０，４３３号、米国特許第６，９４５，０５８号、米国特許第６，８５４，２８４号、米国特許第６，８３４，５１２号、米国特許第６，７７５，９９７号、米国特許第６，７７２，６０４号、米国特許第８，１１３，０１０号、米国特許第８，２７６，３９７号、米国特許出願公開第１２／５３１，２１５号、米国特許出願公開第１３／３７２，１００号、米国特許出願公開第１２／８４４，６５８号、米国特許出願公開第１２／８７３，９０９号、米国特許出願公開第１２／２６４，６４８号、及び米国特許出願公開第１２／３３２，７０８号に記載のものによって提供され、それぞれの開示は本明細書に参照により組み込まれる。
【００５４】
上述のように、あるいくつかの実施形態では、水冷サブシステムは温水排水口及び／又は温水排出口を有する。種々の例で、温水排水口は、水産養殖センタ（例えば、塩水水産養殖センタ）及び／又は脱塩プラント及び／又は発電所に動作可能に接続されている（例えば水密に取り付けられる）。いくつかの態様で、温水排水口は本明細書に記載された連結要素と同一の構造の一部である。所望の場合、温水排水口は温水を水冷サブシステム外へ、及び／又は水源又は水域内へ排出する。選ばれた実施形態では、温水排水口は、温水が通って移動し得る（例えば流れ得る）一つ以上の開口部を有する。あるいくつかの実施形態では、温水排水口は管であり、本明細書に記載された取水口と同一及び／又は異なる材質、及び／又は材質の種類で製造されていてもよい。あるいくつかの態様で、温水排水口は、一つ以上のコンピュータシステム及び／又は関連する構成要素を有するデータセンタの一部の内側又は外側に配置されている。水冷サブシステムは、あるいくつかの実施形態では、取水口を有する。いくつかの態様で、取水口は、水冷サブシステム内へ水（例えば、冷水）を受け入れるように構成された水冷却システム内に、一つ以上の開口部（例えば、孔、間隙及び／又はスリット）を有する。例えば、取水口は、水が一つ以上の管内へ流れ得るように、水域内に位置する一つ以上の（すなわち、１、２、３、４、５、６、７、８、９、又は１０以上の）開口部（例えば開口端部）を有する一つ以上の管であってもよい。いくつかの実施形態では、取水口又はその中の開口部は、円形、長方形、正方形、スリット、多角形、四角形、楕円形、半円形又は他の形状の形態である。選ばれた例で、取水口又はその開口部は単一の定義された対称半径を有していてもよい。いくつかの態様で、取水口又はその開口部は単一の平面（例えば、水平面又は垂直面）内に存在する曲率半径を有していてもよい。
【００５５】
あるいくつかの実施形態では、取水口（例えば、取水口内の一つ以上の開口部）は、ある時間（例えば、１分又は１時間又は１日）にそれらを通して移動するある量の水（例えば、海水）を取り入れ又は他の態様で有するように構成されている。例えば、取水口は、５，０００Ｌ／日、１０，０００Ｌ／日、１５，０００Ｌ／日、２０，０００Ｌ／日、２５，０００Ｌ／日、３０，０００Ｌ／日、３５，０００Ｌ／日、４０，０００Ｌ／日、４５，０００Ｌ／日、５０，０００Ｌ／日、５５，０００Ｌ／日、６０，０００Ｌ／日、６５，０００Ｌ／日、７０，０００Ｌ／日、７５，０００Ｌ／日、８０，０００Ｌ／日、８５，０００Ｌ／日、９０，０００Ｌ／日、９５，０００Ｌ／日、１００，０００Ｌ／日、１５０，０００Ｌ／日、２００，０００Ｌ／日、２５０，０００Ｌ／日、３００，０００Ｌ／日、３５０，０００Ｌ／日、４００，０００Ｌ／日、４５０，０００Ｌ／日、５００，０００Ｌ／日、５５０，０００Ｌ／日、６００，０００Ｌ／日、６５０，０００Ｌ／日、７００，０００Ｌ／日、７５０，０００Ｌ／日、８００，０００Ｌ／日、８５０，０００Ｌ／日、９００，０００Ｌ／日、９５０，０００Ｌ／日、百万Ｌ／日、５百万Ｌ／日、１千万Ｌ／日、２千万Ｌ／日、３千万Ｌ／日、４千万Ｌ／日、５千万Ｌ／日、６千万Ｌ／日、７千万Ｌ／日、８千万Ｌ／日、９千万Ｌ／日、１億Ｌ／日、１億１千万Ｌ／日、１億２千万Ｌ／日、１億３千万Ｌ／日、１億４千万Ｌ／日、１億５千万Ｌ／日、１億６千万Ｌ／日、１億７千万Ｌ／日、１億８千万Ｌ／日、１億９千万Ｌ／日、２億Ｌ／日、２億２千万Ｌ／日、２億４千万Ｌ／日、２億６千万Ｌ／日、２億８千万Ｌ／日、３億Ｌ／日、４億Ｌ／日、５億Ｌ／日、又は１０億Ｌ／日まで取水するように構成されていてもよい。取水口はまた、１０億Ｌ／日より多く取水するように構成されていてもよい。特定の実施形態では、取水口は、５，０００Ｌ／日から１０億Ｌ／日、５，０００Ｌ／日から百万Ｌ／日、５，０００Ｌ／日から１億Ｌ／日、５，０００Ｌ／日から２０，０００Ｌ／日、２０，０００Ｌ／日から４０，０００Ｌ／日、４０，０００Ｌ／日から６０，０００Ｌ／日、６０，０００Ｌ／日から８０，０００Ｌ／日、８０，０００Ｌ／日から１００，０００Ｌ／日、１００，０００Ｌ／日から１２０，０００Ｌ／日、１２０，０００Ｌ／日から１４０，０００Ｌ／日、１４０，０００Ｌ／日から１６０，０００Ｌ／日、１６０，０００Ｌ／日から１８０，０００Ｌ／日、１８０，０００Ｌ／日から２００，０００Ｌ／日、２００，０００Ｌ／日から２５０，０００Ｌ／日、２５０，０００Ｌ／日から３００，０００Ｌ／日、３００，０００Ｌ／日から３５０，０００Ｌ／日、１００，０００Ｌ／日から２００，０００Ｌ／日、２００，０００Ｌ／日から３００，０００Ｌ／日、３００，０００Ｌ／日から４００，０００Ｌ／日、４００，０００Ｌ／日から５００，０００Ｌ／日、５００，０００Ｌ／日から６００，０００Ｌ／日、６００，０００Ｌ／日から７００，０００Ｌ／日、７００，０００Ｌ／日から８００，０００Ｌ／日、８００，０００Ｌ／日から９００，０００Ｌ／日、９００，０００Ｌ／日から百万Ｌ／日、百万Ｌ／日から２千万Ｌ／日、２千万Ｌ／日から４千万Ｌ／日、４千万Ｌ／日から６千万Ｌ／日、６千万Ｌ／日から８千万Ｌ／日、又は８千万Ｌ／日から１億Ｌ／日のいずれかの範囲の水量を取り入れるように構成されていてもよい。いくつかの態様で、取水口は、取水口を通る（例えば流れている）水の量が、ある時間間隔（例えば，１分、１時間、１日、１か月、１年）内で可変であってもよいように構成されている。
【００５６】
特定の態様で、取水口又はその一部は、一つ以上のコンピュータシステム及び／又は関連する構成要素を有するデータセンタの一部の外部に配置されている。例えば、いくつかの変形例で、取水口は一つ以上のコンピュータシステム及び／又は関連する構成要素を収容する建物の外部に配置されている。所望の場合、取水口は冷水が熱せられる（例えば温水まで熱せられる）一つ以上のコンピュータシステム及び／又は関連する構成要素を有するデータセンタの一部の内側に位置する水冷サブシステムの少なくとも一つの部分と流体連通している。
【００５７】
水冷サブシステムの実施形態は、水源内の１５ｍ以上、例えば２０ｍ以上、２５ｍ以上、３０ｍ以上、３５ｍ以上の深度に配置された取水口を有する。水冷サブシステムのいくつかの変形例は、水源内の１ｍ以上、２ｍ以上、３ｍ以上、４ｍ以上、５ｍ以上、６ｍ以上、７ｍ以上、８ｍ以上、９ｍ以上、１０ｍ以上、１１ｍ以上、１２ｍ以上、１３ｍ以上、１４ｍ以上、１６ｍ以上、１７ｍ以上、１８ｍ以上、１９ｍ以上、２０ｍ以上、２５ｍ以上、３０ｍ以上、３５ｍ以上、４０ｍ以上、４５ｍ以上、５０ｍ以上、６０ｍ以上、７０ｍ以上、８０ｍ以上、９０ｍ以上、１００ｍ以上、２００ｍ以上、及び／又は３００ｍ以上の深度に配置された取水口及び／又はその中の少なくとも一つの開口部（例えば、コンピュータシステム及び関連する構成要素を収容するデータセンタの一部から最も遠い取水口の端部の開口部）を有する。いくつかの態様で、水冷サブシステムは、水源内の特定の区域（例えば真光層及び／若しくは薄光層、並びに／又は、無光層及び／若しくは深層域）より下及び／又は内に配置された取水口及び／又はその中の少なくとも一つの開口部を有する。選ばれた態様で、水冷サブシステムは、水源内の有光層のより下に配置された取水口及び／又はその中の少なくとも一つの開口部を有する。
【００５８】
水冷サブシステムの実施形態、及びいくつかの態様で、取水口は、水を浄化するように構成された一つ以上のフィルタを有する。選ばれた例で、少なくとも一つのフィルタは、取水口内の一つ以上の開口部に、及び／又はコンピュータシステム及び／又は関連する機器を収容するデータセンタの一部から最も遠い取水口の端部に配置されている。所望の場合、フィルタはコンピュータシステム及び／又は関連する機器を収容するデータセンタの一部の中に配置されている。
【００５９】
種々の実施形態では、水冷サブシステム及び／又はその取水口は、一つ以上の材質又は一種類以上の材質で構成されていてもよい。開示されたシステムの水冷サブシステムが構成されていてもよい材質の例には、ポリマー、セラミック、金属、ガラス及び／又はそれらの組み合わせが含まれる。いくつかの例で、水冷サブシステムは、腐食（例えば錆による腐食）しやすい金属又は材質では構成されていない。いくつかの実施形態では、水冷サブシステムは、配管材質で構成されている。例えば、水冷サブシステムは、ポリ塩化ビニル（ＰＶＣ）管及び／又は継ぎ手、及び管を水密に締結する一つ以上の接着剤で構成されていてもよい。適切な場合、水冷サブシステムの一つ以上の材質は、硬質であってもよい。いくつかの態様で、水冷サブシステムの一つ以上の材質は、弾性的（例えば、一つ以上のゴムチューブ又はホース）であってもよい。しかしながら、これらの材質の例は限定するものではなく、水冷サブシステムの材質は、本明細書に記載された開示されたシステム内の機能に必要な構造的及び化学的特性を有するあらゆる材質又は材質の組み合わせであってもよい。
【００６０】
種々の例で、水冷サブシステムはポンプを有する。いくつかの実施形態では、ポンプは、水を本明細書に記載されたような水冷サブシステム及び／又は他の構成要素（例えば、取水口；排水口及び／又は脱塩プラント）を通して移動させる手段である。選ばれた変形例で、ポンプは、本明細書に記載されたような水冷サブシステム及び／又は他の構成要素（例えば、取水口；排水口及び／又は脱塩プラント）を通して水を一方向又は双方向に移動させる。いくつかの例で、ポンプは電気を動力とし、及び／又は化石燃料を動力とし、及び／又は他の手段を動力とする。あるいくつかの態様で、ポンプは、本明細書に記載されたような動力源（すなわちデータセンタの動力源）に動作可能に接続されている。いくつかの態様で、ポンプは発電所に動作可能に接続されていてもよい。特定の態様で、潮流、及び／又は潮流を動力とするポンプは、本明細書に記載された水冷サブシステム及び／又は他の構成要素（すなわち、脱塩プラント）を通して水を移動させる。いくつかの実施形態では、一つ以上のポンプは、本明細書に記載されたようなデータセンタ及び／又は脱塩プラント内に配置されている。選ばれた実施形態では、一つ以上のポンプは、本明細書に記載されるようなデータセンタ及び／又は脱塩プラントの外部に配置されている。
【００６１】
特定の態様で、水冷サブシステムは、システムを通る水の移動を制御するサブシステム内の一つ以上のバルブを有する。いくつかの実施形態では、バルブは制御可能である（例えば指定された信号又は動作に反応して開閉するように構成されている）。所望の場合、各バルブは個別に制御可能である（例えば、あるバルブは開閉でき、他のバルブはできない）。選ばれた実施形態では、一つ以上のバルブは電気的構成要素を有し、それに動作可能に接続された制御部から電子信号を受信するように構成されていてもよい。
【００６２】
（水産養殖センタ）
開示されたシステムの実施形態は、一つ以上の水産養殖センタを含む。上述のように、本明細書で使用される「水産養殖センタ」という用語は、水生生物を養殖するために構成及び／又は使用される設備を意味する。水産養殖センタで養殖される水生生物は、完全に水中、水上、又は水際で育成されてもよい。あるいくつかの実施形態では、水産養殖センタは、水生生物の養殖にとって重要な条件（例えば、水温、ｐＨ、酸素供給、有機廃棄物濃度、バクテリア濃度、等）を制御するように構成された構成要素を収容する。
【００６３】
水生生物の養殖にとって重要な条件は様々な種類の生物に対して異なることがある。例えば、ある種類の魚はある温度の水中にいる場合によく成長する（例えば、より高い生存率を有する、及び／又は増殖がより成功する）。いくつかの例で、水生生物（例えば、魚）をより温かい温度の水中（例えば、その生物の自然な水温より高い水温）に維持しておくことにより、それらを通年繁殖させることができ、よってそれら生物の増殖がより成功する。
【００６４】
「冷水」種の魚にとって最適な一般的な水温の範囲は約１２℃から１８℃の間の温度である。「冷水」種の魚には、例えば、サケ及びマスの全種類が含まれる。同様に、「涼水（coolwater）」種の魚にとって最適な一般的な水温の範囲は約１８℃から２４℃の間の温度である。「涼水」種の魚には、例えば、ウォールアイ及びイエローパーチが含まれる。また、「温水」種の魚とって最適な一般的な水温の範囲は約２４℃から３３℃の間の温度である。「温水」種の魚には、例えば、アメリカナマズ及びティラピアが含まれる。
【００６５】
水産養殖センタで養殖される水生生物には、例えば、魚、甲殻類、軟体動物、及び／又は水生植物が含まれ得る。水産養殖センタで養殖される魚の種類には、例えば、鯉、サケ、ティラピア、マグロ（例えば、クロマグロ；ミナミマグロ）、バス（例えば、ブラックシーバス等のシーバス（スズキ））、オヒョウ（例えば、アラスカオヒョウ；タイヘイヨウオヒョウ）、及びナマズが含まれてもよい。水産養殖センタで養殖される魚の種類には、例えば、オヒョウのみ（例えば、アラスカオヒョウのみ）、又はバスのみ（例えば、スズキのみ）、又はオヒョウ（アラスカオヒョウ）及びバス（スズキ）のみ、等のある種類の生物（例えば、魚）のみが含まれてもよい。オヒョウ（例えば、アラスカオヒョウ；タイヘイヨウオヒョウ）にとって最適な水温（例えば、繁殖を成功させる水温）は約３℃から８℃の範囲である。バス（例えば、スズキ）にとって最適な水温（例えば、繁殖を成功させる水温）は約１０℃から２９℃である。
【００６６】
水産養殖センタで養殖される水生植物には、例えば、微細藻類（すなわち、植物プランクトン、微細植物、又はプランクトン藻類）又は大型藻類（すなわち、海藻）が含まれ得る。水生生物にはまた、海綿動物（例えば、海綿）が含まれ得る。水産養殖センタで養殖される甲殻類には、例えば、海老（例えば、バナメイエビ、ウシエビ、テナガエビ）、イセエビ、又はカニが含まれ得る。水産養殖センタで養殖される軟体動物には、例えば、種々の牡蠣、二枚貝、又はムール貝類（例えば、アワビ）が含まれ得る。
【００６７】
水産養殖センタで養殖される水生生物には、塩水及び／又は淡水でのみ棲息するように適応したものであることがある。あるいくつかの実施形態では、水産養殖センタは、塩水に棲息することに適応した生物を養殖するように適応している。斯かる水産養殖センタは、本明細書では「塩水水産養殖センタ」と称される。あるいくつかの実施形態では、水産養殖センタは、淡水に棲息することに適応した生物を養殖するように適応している。斯かる水産養殖センタは、本明細書では「淡水水産養殖センタ」と称される。種々の態様で、水産養殖センタは「塩水水産養殖センタ」及び「淡水水産養殖センタ」の両方であってもよい。
【００６８】
種々の実施形態では、水産養殖センタは、一つ以上の水生生物又は生物種及び水を保持するための一つ以上の水槽又はコンテナを有している。斯かる水槽は、互いに、及び／又はその内部の条件を制御する構成要素に動作可能に接続（例えば、流体連通）されていてもよい。斯かる水槽はまた、水が水源から水槽に移動できるように、水源（例えば、データセンタの水冷サブシステムの温水排出口）に動作可能に接続されていてもよい。特定の態様で、水生生物が水槽から水源に及び／又は水源から水槽に移動することを防ぐような態様で、水産養殖センタ内の水槽及びその中の水は水源から切り離されていてもよい。そのため、水産養殖センタは大洋又は海等の水域ではなく内陸に位置していてもよい（例えば、ある深さの下には位置しない陸域に建設された一つ以上の水槽を有していてもよい）。
【００６９】
種々の実施形態では、水産養殖センタは「再循環水産養殖システム」（ＲＡＳ）である。ＲＡＳシステムは、廃棄物（例えば、魚の排泄物及び／又は餌）を取り除くためにフィルタを通過させて水を循環させることにより水を再利用し、それから水生生物が養殖されている水槽にその水を再循環させる。
【００７０】
上述のように、種々の実施形態では、水産養殖センタは水生生物の養殖にとって重要な条件を制御するように構成された構成要素を収容する。水生生物の養殖にとって重要な条件には、例えば、水温、酸素供給、照度、ｐＨ、水中バクテリア濃度、及び／又は水中有機廃棄物濃度が含まれる。
【００７１】
いくつかの実施形態では、本明細書に記載される水産養殖センタは水温制御サブシステムを有する。本明細書で使用される「水温制御サブシステム」及び「複数の水温制御サブシステム」という言葉は、少なくとも部分的には水産養殖センタ内に配置され、水産養殖センタの少なくとも一つの構成要素又は部分（例えば、水槽及び／又はその中の水）を加熱及び／又は冷却するように構成された相互に結合された構造、を指す。所望の場合、水温制御サブシステムの相互結合された構造は、水をある場所（例えば、取水口のある場所）から別の場所へ運ぶように構成された一つ以上の構成要素（例えば、管及び／又はコンテナ及び／又は水槽）を有している。あるいくつかの実施形態では、水温制御サブシステムは排水口及び／又は水排出口を有する。選ばれた例では、水温制御サブシステムは、データセンタの水冷サブシステム及び／又は大洋及び／又は海（例えば、塩水水産養殖センタ）及び／又は川及び／又は湖（例えば、淡水水産養殖センタ）及び／又は地下水源及び／又はその他の水源から水（例えば、温水）を受け入れるように構成されていてもよい。
【００７２】
いくつかの態様で、水温制御サブシステムは、水産養殖センタ内の一つ以上の水温を維持する（例えば、１２℃から１８℃；１８℃から２４℃；又は２４℃から３３℃の間の温度）ように構成されていてもよい。そのため、水温制御サブシステムは、水産養殖センタ内の水を加熱及び／又は冷却するように構成されていてもよい。いくつかの実施形態では、水温制御サブシステムは水を加熱するための一つ以上の加熱要素を有している。いくつかの実施形態では、水温制御サブシステムは水を冷却するための一つ以上の冷却要素を有している。
【００７３】
あるいくつかの実施形態では、水温制御サブシステムは、一つ以上の水生生物又は生物種及び水を保持するように構成された一つ以上の水産養殖センタ内の水槽又は区画を有する。いくつかの実施形態では、水産養殖センタ内の一つ以上の水槽は水産養殖センタ内の水を加熱するための一つ以上の加熱要素に動作可能に結合されている。
【００７４】
上述のように、あるいくつかの実施形態では、水温制御サブシステムは排水口及び／又は水排出口を有する。種々の例で、排水口は脱塩プラント及び／又は発電所に動作可能に接続されている（例えば、水密に取り付けられている）。いくつかの態様で、排水口は、本明細書に記載される連結要素と同じ構造の一部である。所望の場合、排水口は水温制御サブシステムから及び／又は水源若しくは水域へ水（例えば、冷水及び／又は温水）を排出する。選ばれた実施形態では、排水口は、冷水及び／又は温水が通って移動する（例えば、流れる）ことができる一つ以上の開口を有する。あるいくつかの実施形態では、排水口は、本明細書に記載される取水口と同じ及び／又は異なる素材及び／又は素材の種類でできていてもよい。あるいくつかの態様で、排出口は、水生生物が養殖される一つ以上の水槽を含む水産養殖センタの部分の内部又は外部に配置されている。
【００７５】
あるいくつかの実施形態では、水温制御サブシステムは取水口を有する。いくつかの態様で、取水口は、水温制御サブシステム内に水（例えば、冷水）を受け入れるように構成された水温制御サブシステム内の一つ以上の開口部（例えば、孔、間隙、及び／又はスリット）を有する。例えば、取水口は、水が一つ以上の管に流れるために水域内に配置された一つ以上（すなわち、１個、２個、３個、４個、５個、６個、７個、８個、９個、又は１０個以上）の開口部（例えば、開口端）であってもよい。いくつかの実施形態では、取水口又はその開口部は、円、長方形、正方形、スリット、多角形、四辺形、楕円、半円、又は他の形状である。選ばれた例で、取水口又はその開口部は単一の定義された対称半径を有していてもよい。いくつかの態様で、取水口又はその開口部は単一の平面（例えば、水平面又は垂直面）内に存在する曲率半径を有していてもよい。
【００７６】
あるいくつかの実施形態では、取水口（例えば、取水口内の一つ以上の開口部）は、ある設定時間（例えば、１分又は１時間又は１日）内にある量の水（例えば、海水）を取水口を介して取り込むか又は移動させる。例えば、取水口は、５００Ｌ／日、１，０００Ｌ／日、５，０００Ｌ／日、１０，０００Ｌ／日、１５，０００Ｌ／日、２０，０００Ｌ／日、２５，０００Ｌ／日、３０，０００Ｌ／日、３５，０００Ｌ／日、４０，０００Ｌ／日、４５，０００Ｌ／日、５０，０００Ｌ／日、５５，０００Ｌ／日、６０，０００Ｌ／日、６５，０００Ｌ／日、７０，０００Ｌ／日、７５，０００Ｌ／日、８０，０００Ｌ／日、８５，０００Ｌ／日、９０，０００Ｌ／日、９５，０００Ｌ／日、１００，０００Ｌ／日、１５０，０００Ｌ／日、２００，０００Ｌ／日、２５０，０００Ｌ／日、３００，０００Ｌ／日、３５０，０００Ｌ／日、４００，０００Ｌ／日、４５０，０００Ｌ／日、５００，０００Ｌ／日、５５０，０００Ｌ／日、６００，０００Ｌ／日、６５０，０００Ｌ／日、７００，０００Ｌ／日、７５０，０００Ｌ／日、８００，０００Ｌ／日、８５０，０００Ｌ／日、９００，０００Ｌ／日、９５０，０００Ｌ／日、百万Ｌ／日、５百万Ｌ／日、１千万Ｌ／日、２千万Ｌ／日、３千万Ｌ／日、４千万Ｌ／日、５千万Ｌ／日、６千万Ｌ／日、７千万Ｌ／日、８千万Ｌ／日、９千万Ｌ／日、１億Ｌ／日、１億１千万Ｌ／日、１億２千万Ｌ／日、１億３千万Ｌ／日、１億４千万Ｌ／日、１億５千万Ｌ／日、１億６千万Ｌ／日、１億７千万Ｌ／日、１億８千万Ｌ／日、１億９千万Ｌ／日、２億Ｌ／日、２億２千万Ｌ／日、２億４千万Ｌ／日、２億６千万Ｌ／日、２億８千万Ｌ／日、３億Ｌ／日、４億Ｌ／日、５億Ｌ／日、又は１０億Ｌ／日まで取水するように構成されていてもよい。また、取水口は１０億Ｌ／日を超えて取水するように構成されていてもよい。特定の実施形態では、取水口は、５，０００Ｌ／日から１０億Ｌ／日まで、５，０００Ｌ／日から百万Ｌ／日まで、５，０００Ｌ／日から１億Ｌ／日まで、５，０００Ｌ／日から２０，０００Ｌ／日まで、２０，０００Ｌ／日から４０，０００Ｌ／日まで、４０，０００Ｌ／日から６０，０００Ｌ／日まで、６０，０００Ｌ／日から８０，０００Ｌ／日まで、８０，０００Ｌ／日から１００，０００Ｌ／日まで、１００，０００Ｌ／日から１２０，０００Ｌ／日まで、１２０，０００Ｌ／日から１４０，０００Ｌ／日まで、１４０，０００Ｌ／日から１６０，０００Ｌ／日まで、１６０，０００Ｌ／日から１８０，０００Ｌ／日まで、１８０，０００Ｌ／日から２００，０００Ｌ／日まで、２００，０００Ｌ／日から２５０，０００Ｌ／日まで、２５０，０００Ｌ／日から３００，０００Ｌ／日まで、３００，０００Ｌ／日から３５０，０００Ｌ／日まで、１００，０００Ｌ／日から２００，０００Ｌ／日まで、２００，０００Ｌ／日から３００，０００Ｌ／日まで、３００，０００Ｌ／日から４００，０００Ｌ／日まで、４００，０００Ｌ／日から５００，０００Ｌ／日まで、５００，０００Ｌ／日から６００，０００Ｌ／日まで、６００，０００Ｌ／日から７００，０００Ｌ／日まで、７００，０００Ｌ／日から８００，０００Ｌ／日まで、８００，０００Ｌ／日から９００，０００Ｌ／日まで、９００，０００Ｌ／日から百万Ｌ／日まで、百万Ｌ／日から２千万Ｌ／日まで、２千万Ｌ／日から４千万Ｌ／日まで、４千万Ｌ／日から、６千万Ｌ／日まで、６千万Ｌ／日から８千万Ｌ／日まで、又は８千万Ｌ／日から一億Ｌ／日までのいずれかの範囲の量を取水するように構成されていてもよい。いくつかの態様で、取水口は、取水口を介して移動する（例えば、流れる）水の量がある時間間隔（例えば、一分、一時間、一日、一月、一年）内で可変であってもよいように構成されている。
【００７７】
いくつかの態様で、取水口又はその一部は、一つ以上の水生生物が養殖される一つ以上の水槽を含む水産養殖センタの部分の外部に配置されている。例えば、いくつかの変形例で、取水口は、一つ以上の水槽及び／又は関連する構成要素を収容する建物の外側に配置されている。所望の場合、取水口は水冷サブシステムの少なくとも一つの部分（例えば、冷水が、例えば温水に暖められるデータセンタの部分の内部に位置する部分）に動作可能に接続されている（例えば、流体連通している）。いくつかの態様で、取水口はデータセンタの水冷サブシステムから水（例えば、温水）を受け入れるように構成されている。
【００７８】
水温制御サブシステムの実施形態は水源の深度１５ｍ以上に配置された取水口を有する。水温制御サブシステムのいくつかの変形例は、水源の１ｍ以上、２ｍ以上、３ｍ以上、４ｍ以上、５ｍ以上、６ｍ以上、７ｍ以上、８ｍ以上、９ｍ以上、１０ｍ以上、１１ｍ以上、１２ｍ以上、１３ｍ以上、１４ｍ以上、１６ｍ以上、１７ｍ以上、１８ｍ以上、１９ｍ以上、２０ｍ以上、２５ｍ以上、３０ｍ以上、３５ｍ以上、４０ｍ以上、４５ｍ以上、５０ｍ以上、６０ｍ以上、７０ｍ以上、８０ｍ以上、９０ｍ以上、１００ｍ以上、２００ｍ以上、及び／又は３００ｍ以上の深度に配置された取水口及び／又は少なくとも一つの開口部（例えば、コンピュータシステム及びその関連する構成要素を収容するデータセンタの部分から最も遠い取水口の端部の開口部）を有する。いくつかの態様で、水温制御サブシステムは、水源内の特定の区域（例えば、真光層及び／若しくは薄光層、並びに／又は無光層及び／若しくは深層域）より下及び／又は中に配置された取水口及び／又はその少なくとも一つの開口部を有する。選ばれた態様で、水温制御サブシステムは、水源内の有光層より下に配置された取水口及び／又はその少なくとも一つの開口部を有する。
【００７９】
取水口が水源内の特定の深度（例えば、１５ｍ以上の深度）に配置されているあるいくつかの態様で、取水口の中心（例えば、取水口の最中心点）及び／又は取水口の上縁（例えば、水面に最も近い縁又は部分）及び／又は取水口の下縁（例えば、水面から最も遠い縁又は部分）は、水面下の特定の深度に配置されている。あるいくつかの例で、水源内の特定の深度に配置されている取水口は、開口部の中心（例えば、円形又は正方形の開口部の最中心点）及び／又は開口部の上縁（例えば、水面に最も近い縁又は部分）及び／又は開口部の下縁（例えば、水面から最も遠い縁又は部分）が水面下の特定の深度に配置されている開口部を有する。
【００８０】
水産養殖センタの実施形態、及びいくつかの実施形態においては、水温制御サブシステム、及びあるいくつかの態様における取水口は、水を浄化する（例えば、水生生物の増殖を促進するために有機汚染物質を水から除去する及び／又は水に十分な浄化度を与える）ために構成された一つ以上のフィルタを有する。選ばれた例で、少なくとも一つのフィルタが、取水口内の一つ以上の開口部、及び／又は水生生物が養殖される一つ以上の水槽を収容する水産養殖センタの部分から最も遠い取水口の端部に配置される。いくつかの態様で、水温制御サブシステム内の水は、水産養殖センタ内の水生生物にとって健康的な生育条件を提供するために（例えば、水産養殖センタ内の水生生物の増殖を最大化する条件を提供するために）、少なくとも一つのフィルタを通過して循環（例えば繰り返し循環）させられる。
【００８１】
種々の態様で、水温制御サブシステム及び／又はその取水口は一つ以上の材質又は一種類以上の材質から構成されていてもよい。開示されたシステムの水温制御サブシステムが構成され得る材質の例には、ポリマー、セラミックス、金属、ガラス及び／又はそれらの組み合わせが含まれる。いくつかの例で、水温制御サブシステムは金属又は腐食（例えば、錆による腐食）する材質によっては構成されていない。いくつかの態様で、水温制御サブシステムは配管材質で構成されている。例えば、水温制御サブシステムはポリ塩化ビニル（ＰＶＣ）管及び／又は継ぎ手並びに管を水密に締結するための一つ以上の接着剤により構成されていてもよい。適切な場合、水温制御サブシステムの一つ以上の材質は硬質であってもよい。いくつかの態様で、水温制御サブシステムの一つ以上の材質は弾性的（例えば、一つ以上のゴム管又はホース）であってもよい。しかしながら、これらの材質の例は限定するものではなく、水温制御サブシステムの材質は、本明細書に記載される開示されたシステムで機能するために必要な構造的又は科学的な性質を有しているいずれの材質又は材質の組み合わせであってもよい。
【００８２】
種々の例で、水温制御サブシステムはポンプを有する。いくつかの実施形態では、ポンプは、水を本明細書に記載されるような水温制御サブシステム及び／又はその他の構成要素（例えば、取水口；排水口及び／又は脱塩プラント）を介して移動させる手段である。選ばれた変形例で、ポンプは、水を本明細書に記載されるような水温制御サブシステム及び／又はその他の構成要素（例えば、取水口；排水口及び／又は脱塩プラント）を介して、一方向又は双方向に移動させる。いくつかの例で、ポンプは電気を動力とする及び／又は化石燃料を動力とする及び／又は他の手段を動力とする。あるいくつかの態様で、ポンプは、本明細書に記載されるような動力源（すなわち、水産養殖センタの動力源）に動作可能に接続されている。いくつかの態様で、ポンプは発電所に動作可能に接続されていてもよい。特定の態様で、潮流、及び／又は潮流を動力とするポンプは、水を本明細書に記載される水温制御サブシステム及び／又はその他の構成要素（すなわち脱塩プラント）を通して移動させる。いくつかの実施形態では、一つ以上のポンプが、本明細書に記載されるようなデータセンタ及び／又は水産養殖センタ及び／又は脱塩プラント内に配置されている。選ばれた実施形態では、一つ以上のポンプが、本明細書に記載されるようなデータセンタ及び／又は水産養殖センタ及び／又は脱塩プラントの外部に配置されている。
【００８３】
特定の態様で、水温制御サブシステムは、本システム内での水及び／又は水生生物の移動を制御するための水温制御サブシステム内の一つ以上のバルブを有する。いくつかの実施形態では、バルブは制御可能である（例えば、指定された信号又は動作に反応して開閉するように構成されている）。所望の場合、各バルブは個別に制御可能である（例えば、あるバルブは開閉でき、他のバルブはできない）。選ばれた実施形態では、一つ以上のバルブは電気的構成要素を有しており、電気的構成要素に動作可能に接続されている制御部から電子信号を受信するように構成されていてもよい。
【００８４】
いくつかの例で、水産養殖センタ及び／又はその中の構成要素（例えば、加熱要素）は電気を動力とする。例えば、水産養殖センタのある実施形態は稼働するために電気を消費する。水産養殖センタの実施形態は少なくとも一つの動力源（例えば、本明細書に記載されるような、一つ以上の発電所）に動作可能に接続されている。データセンタのある態様は動力源（例えば、電力が得られる電源）を有する。いくつかの実施形態では、動力源は再生可能エネルギー源から動力を生成するか又は得る。再生可能エネルギー源には、例えば、一つ以上の形態のエネルギー（例えば、太陽光、風力、波力、バイオ燃料、バイオマス、潮力及び／又は地熱エネルギー）を他の形態（例えば、電力）に変換するように構成された一つ以上のシステム又は装置が含まれる。例えば、動力源は一つ以上のソーラーパネルであってもよい。
【００８５】
あるいくつかの実施形態では、水産養殖センタは、水産養殖センタ又はその中の構成要素によって実行される各機能のために（例えばある量の水が加熱される都度）ある量のエネルギーを使用する。例えば、水産養殖センタ、又は水産養殖センタ及び他の施設（例えば、データセンタ）を含むシステムは養殖される水生生物の体積あたり決まった量のエネルギーを使用することがある。そのため、いくつかの態様で、水産養殖センタ、又は水産養殖センタ及び他の施設（例えば、データセンタ）を含むシステムは、定量化され得るエネルギー効率度を有する。いくつかの態様で、水産養殖センタ、又は水産養殖センタ及び他の施設（例えば、データセンタ）を含むシステムのエネルギー効率度は、水産養殖センタを本明細書に記載される他のシステム（例えば、脱塩プラント及び／又は発電所及び／又はデータセンタ）と併設することにより改善される（すなわち、システムが使用するエネルギーの全体量が減少する）。
【００８６】
いくつかの実施形態では、水産養殖センタ及び／又は水産養殖センタの動力源は炭素排出を発生させる。あるいくつかの態様で、水産養殖センタ（例えば、独立して稼働している水産養殖センタ）は、水産養殖センタ又はその構成要素によって実行される各機能又は機能の一部のためにある量の炭素排出を発生させる。種々の態様で、水産養殖センタ及び他の施設（例えば、データセンタ）を含むシステムは、独立して稼働している（例えば、動作的に接続されていない）同一の水産養殖センタ及びその他の施設（例えば、データセンタ）より少ない炭素排出を発生させる。
【００８７】
上述のように、開示されたシステムの種々の態様で、水産養殖センタはデータセンタに動作可能に接続（例えば、流体連通するように配置）されていてもよい。そのため、特定の態様で、水産養殖センタは本明細書に記述されるようなデータセンタから温水を受け入れるように構成されていてもよい。水産養殖センタの斯かる実施形態では、データセンタから水産養殖センタ（例えば、塩水水産養殖センタ）に受け取られた水は、水生生物が養殖されている水槽に流れるように向けられてもよい。斯かる実施形態では、水産養殖センタの取水口に流れ込む水はデータセンタからの温水である。
【００８８】
温水がデータセンタから水産養殖センタに流れることができるようにデータセンタと動作可能に接続（例えば、流体連通するように配置）された水産養殖センタを含む、開示されたシステムの実施形態は、独立して稼働している同一の脱塩プラント及びデータセンタよりエネルギー効率が高く（例えば、少ないエネルギーを使用する）、且つ／又はより少ない炭素排出を発生させる。
【００８９】
（排水口）
いくつかの実施形態では、開示されたシステムは排水口を有する。種々の態様で、排水口は開示されたシステムから濃塩水を排出するように構成されている。適切な場合、排水口は、水及び／又は濃塩水を輸送するように構成されたシステムの部分の中に、一つ以上の開口部（例えば、孔、間隙及び／又はスリット）を有する。例えば排水口は、水及び／又は濃塩水が一つ以上の管から流れ得るように水域内に位置する少なくとも一つの開口部（例えば開いた端部）を有する一つ以上の管であってもよい。いくつかの変形例で、排水口又はその中の開口部は、円形、長方形、正方形、スリット、多角形、四角形、楕円形、半円形又は他の形状である。一部の例で、所望の場合、排水口又はその開口部は単一の定義された対称半径を有していてもよい。いくつかの態様で、排水口又はその開口部は単一の平面（例えば、水平面又は垂直面）内に存在する曲率半径を有していてもよい。
【００９０】
あるいくつかの実施形態では、排水口（例えば、排水口内の一つ以上の開口部）は、ある時間（例えば、１分又は１時間又は１日）である量の水（例えば、海水）を排出するか、又はその中を移動させるように構成されている。例えば排水口は、５，０００Ｌ／日、１０，０００Ｌ／日、１５，０００Ｌ／日、２０，０００Ｌ／日、２５，０００Ｌ／日、３０，０００Ｌ／日、３５，０００Ｌ／日、４０，０００Ｌ／日、４５，０００Ｌ／日、５０，０００Ｌ／日、５５，０００Ｌ／日、６０，０００Ｌ／日、６５，０００Ｌ／日、７０，０００Ｌ／日、７５，０００Ｌ／日、８０，０００Ｌ／日、８５，０００Ｌ／日、９０，０００Ｌ／日、９５，０００Ｌ／日、１００，０００Ｌ／日、１５０，０００Ｌ／日、２００，０００Ｌ／日、２５０，０００Ｌ／日、３００，０００Ｌ／日、３５０，０００Ｌ／日、４００，０００Ｌ／日、４５０，０００Ｌ／日、５００，０００Ｌ／日、５５０，０００Ｌ／日、６００，０００Ｌ／日、６５０，０００Ｌ／日、７００，０００Ｌ／日、７５０，０００Ｌ／日、８００，０００Ｌ／日、８５０，０００Ｌ／日、９００，０００Ｌ／日、９５０，０００Ｌ／日、百万Ｌ／日、５百万Ｌ／日、１千万Ｌ／日、２千万Ｌ／日、３千万Ｌ／日、４千万Ｌ／日、５千万Ｌ／日、６千万Ｌ／日、７千万Ｌ／日、８千万Ｌ／日、９千万Ｌ／日、１億Ｌ／日、１億１千万Ｌ／日、１億２千万Ｌ／日、１億３千万Ｌ／日、１億４千万Ｌ／日、１億５千万Ｌ／日、１億６千万Ｌ／日、１億７千万Ｌ／日、１億８千万Ｌ／日、１億９千万Ｌ／日、２億Ｌ／日、２億２千万Ｌ／日、２億４千万Ｌ／日、２億６千万Ｌ／日、２億８千万Ｌ／日、３億Ｌ／日、４億Ｌ／日、５億Ｌ／日、又は１０億Ｌ／日までを排出するように構成されていてもよい。排水口はまた、１０億Ｌ／日より多く排出するように構成されていてもよい。特定の実施形態では、排水口は、５，０００Ｌ／日から１０億Ｌ／日、５，０００Ｌ／日から百万Ｌ／日、５，０００Ｌ／日から１億Ｌ／日、５，０００Ｌ／日から２０，０００Ｌ／日、２０，０００Ｌ／日から４０，０００Ｌ／日、４０，０００Ｌ／日から６０，０００Ｌ／日、６０，０００Ｌ／日から８０，０００Ｌ／日、８０，０００Ｌ／日から１００，０００Ｌ／日、１００，０００Ｌ／日から１２０，０００Ｌ／日、１２０，０００Ｌ／日から１４０，０００Ｌ／日、１４０，０００Ｌ／日から１６０，０００Ｌ／日、１６０，０００Ｌ／日から１８０，０００Ｌ／日、１８０，０００Ｌ／日から２００，０００Ｌ／日、２００，０００Ｌ／日から２５０，０００Ｌ／日、２５０，０００Ｌ／日から３００，０００Ｌ／日、３００，０００Ｌ／日から３５０，０００Ｌ／日、１００，０００Ｌ／日から２００，０００Ｌ／日、２００，０００Ｌ／日から３００，０００Ｌ／日、３００，０００Ｌ／日から４００，０００Ｌ／日、４００，０００Ｌ／日から５００，０００Ｌ／日、５００，０００Ｌ／日から６００，０００Ｌ／日、６００，０００Ｌ／日から７００，０００Ｌ／日、７００，０００Ｌ／日から８００，０００Ｌ／日、８００，０００Ｌ／日から９００，０００Ｌ／日、９００，０００Ｌ／日から百万Ｌ／日、百万Ｌ／日から２千万Ｌ／日、２千万Ｌ／日から４千万Ｌ／日、４千万Ｌ／日から６千万Ｌ／日、６千万Ｌ／日から８千万Ｌ／日、又は８千万Ｌ／日から１億Ｌ／日のいずれかの範囲の水の量を排出するように構成されていてもよい。いくつかの態様で、排水口を通って移動する（例えば流れている）水の量は、期間（例えば、１分、１時間、１日、１か月、１年）内で可変である。
【００９１】
種々の態様で、排水口又はその一部は水産養殖センタの外部に配置されている。あるいくつかの態様で、排水口又はその一部は、水産養殖センタ（例えば、淡水水産養殖センタ）に動作可能に連結されている。いくつかの例で、排水口又はその一部は、中で水生生物を養殖するための水槽を含む水産養殖センタの一部、並びに／又は一つ以上のコンピュータシステム及び／若しくは関連する構成要素を含むデータセンタの一部の外部、並びに／又は脱塩プラントの外部に配置されている。いくつかの実施形態では、排水口は、中で水生生物を養殖するための水槽を含む水産養殖センタの部分の内部に設置された水温制御サブシステムの少なくとも一部（例えば、水が加熱及び／又は冷却及び／又はある特定の温度に維持される水産養殖センタの一部）、並びに／又は一つ以上のコンピュータシステム及び／若しくは冷水が加熱される（例えば、温水へと加熱される）関連する構成要素を含むデータセンタに設置された水冷サブシステムに、動作可能に接続（例えば、流体連通）されている。
【００９２】
システムの実施形態は、（例えば、水源内の１５ｍ以上の深度に配置された）水源内に配置された排水口を有する。システムのいくつかの変形例は、水源内の１ｍ以上、２ｍ以上、３ｍ以上、４ｍ以上、５ｍ以上、６ｍ以上、７ｍ以上、８ｍ以上、９ｍ以上、１０ｍ以上、１１ｍ以上、１２ｍ以上、１３ｍ以上、１４ｍ以上、１６ｍ以上、１７ｍ以上、１８ｍ以上、１９ｍ以上、２０ｍ以上、２５ｍ以上、３０ｍ以上、３５ｍ以上、４０ｍ以上、４５ｍ以上、５０ｍ以上、６０ｍ以上、７０ｍ以上、８０ｍ以上、９０ｍ以上、１００ｍ、２００ｍ以上及び／又は３００ｍ以上の深度に配置された排水口及び／又はその中の少なくとも一つの開口部（例えば、中の水生生物を養殖するための水槽を含む水産養殖センタの一部及び／又はコンピュータシステム及び関連する構成要素を収容するデータセンタの一部から最も遠い排水口の端部の開口部）を有する。いくつかの態様で、システムは、水源内の特定の区域（例えば真光層及び／又は薄光層、及び／又は無光層）より下及び／又は内に位置する排水口及び／又はその中の少なくとも一つの開口部を有する。いくつかの実施形態では、システムは、水源内の有光層より下に配置された排水口及び／又はその中の少なくとも一つの開口部を有する。
【００９３】
排水口が水源内の特定の深度（例えば１５ｍ以上の深度）に配置されている開示されたシステムのあるいくつかの態様で、排水口の中心（例えば排水口の最も中心の地点）及び／又は排水口の上縁（例えば水面に最も近い縁又は部分）、及び／又は排水口の下縁（例えば水面から最も遠い縁又は部分）は、水面下のその特定の深度に配置されている。いくつかの態様で、水源内の特定の深度に位置する排水口は開口部を有してもよく、開口部の中心（例えば円形及び／又は正方形の開口部の最中心点）及び／又は開口部の上縁（例えば水面に最も近い縁又は部分）、及び／又は開口部の下縁（例えば水面から最も遠い縁又は部分）は、水面下のその特定の深度に位置する。
【００９４】
種々の態様で、開示されたシステムの排水口は、一つ以上の材質又は一種類以上の材質で構成されていてもよい。開示されたシステムの排水口が構成されていてもよい材質の例は、ポリマー、セラミック、金属、ガラス及び／又はそれらの組み合わせが含まれる。いくつかの態様で、排水口は、金属又は腐食（例えば錆による腐食）しやすい材質では構成されていない。適切な場合、排水口は、鉛管材質で構成されている。例えば排水口は、ポリ塩化ビニル（ＰＶＣ）管及び／又は継ぎ手、及び管を水密に締結する一つ以上の接着剤で構成されていてもよい。選ばれた態様で、排水口の一つ以上の材質は、硬質であってもよい。いくつかの例で、排水口の一つ以上の材質は、弾性的（例えば、一つ以上のゴムチューブ又はホース）であってもよい。しかしながら、これらの材質の例は限定するものではなく、排水口の材質は、本明細書に記載の開示されたシステム内の機能に必要な構造的及び化学的特性を有するあらゆる材質又は材質の組み合わせであってもよい。
【００９５】
（発電所）
あるいくつかの態様で、開示されたシステムは、一つ以上の発電所を選択的に含む。本明細書で使用される「発電所」及び「発電ステーション」という用語は、電力を生成する設備をいう。特定の態様で、発電所は、電力を生成及び伝送する構成要素を収容する。
【００９６】
選ばれた実施形態では、発電所は、化石燃料（例えば石炭、石油、及び／又は天然ガス）、原子力又は再生可能エネルギー源から電力を生成する。あるいくつかの態様で、発電所は、発電所外の電力消費者に電力を提供する。
【００９７】
種々の例で、発電所は、物質及び／又はエネルギーを発電所内へ受け入れる取入口を有する。いくつかの態様で、発電所は、取入口内へ受け入れられた物質及び／又はエネルギーを電力へ変換する少なくとも一つの変換要素を有する。選ばれた例で、発電所は、発電所から電力を出力するように構成された電力生産構成要素を有する。種々の実施形態では、発電所は、取入口内へ受け入れられる物質及び／若しくはエネルギーの量を制御するように、並びに／又は電力に変換される物質及び／若しくはエネルギーの量を制御するように、並びに／又は電力生産構成要素を介して電力出力量を制御するように構成された一つ以上の制御システムを有する。
【００９８】
特定の態様で、発電所は炭素排出を発生させる。あるいくつかの例で、発電所（例えば、独立して稼働して電力を作り出す発電所）は、発電所又はその構成要素により実行される各機能又は機能の一部に対してある量の炭素排出を発生させる。例えば、いくつかの実施形態では、発電所は作り出す電力量あたり一定の量の炭素排出を発生させる。
【００９９】
いくつかの実施形態では、発電所は、電気的構成要素を有する。例えば、発電所は、温度及び／又は照明制御システム、並びに電力消費者と発電所とを電気的に接続するための電気的構成要素を有していてもよい。選ばれた例で、発電所（例えば、独立して稼働している発電所）は、作り出す電力のそれぞれの量に対してある量のエネルギー（例えば、電気エネルギー）を使用する。
【０１００】
発電所のあるいくつかの変形例は熱を生じる。そのため、いくつかの実施形態では、発電所は冷却システムを有する。いくつかの例で、発電所の冷却システムは、冷水（例えば、海水）を使用して発電所を冷却するように構成されている。あるいくつかの実施形態では、発電所冷却システムは、相互接続された構造を通して（例えば相互接続された構造内へ、及び／又は相互接続された構造から）水を移動させ、それによって発電所を冷却するように構成された、管及び／又はコンテナ及び／又はポンプ（例えば前述したようなポンプ）の相互接続された構造を有する。選ばれた態様で、発電所は温水を生じ、排出する。あるいくつかの態様で、発電所冷却システムは、本明細書に記載されるような排水口（例えば、温水排水口）に動作可能に接続される。あるいくつかの態様で、発電所冷却システムは、本明細書に記載されるような水産養殖センタに動作可能に接続（例えば、流体連通）されている。
【０１０１】
特定の実施形態では、発電所は、水産養殖センタ及び／又はデータセンタと併設されている。あるいくつかの態様で、発電所は、水産養殖センタ及び／又はデータセンタに動作可能に接続されている。いくつかの態様で、発電所は、水産養殖センタ及び／又はデータセンタと流体連通してもよい。いくつかの態様で、水が発電所から水産養殖センタ及び／若しくはデータセンタへ、並びに／又は水産養殖センタ及び／若しくはデータセンタから発電所へ移動（例えば、流動）できるように、発電所冷却システムは水産養殖センタの水温制御サブシステム及び／又はデータセンタの水冷サブシステムに取り付けられていてもよい。
【０１０２】
発電所の種々の実施形態は、水産養殖センタ及び／又はデータセンタ（例えば、発電所及び／又は脱塩プラントと併設された水産養殖センタ及び／又はデータセンタ）に電力を提供する。そのため、開示されたシステムのあるいくつかの態様は、水産養殖センタ及び／又はデータセンタに電気的に接続された（例えば、少なくとも一つの金属ケーブルのような導電物質により接続された）発電所を含む。あるいくつかの態様で、発電所は、水産養殖センタ及び／又はデータセンタ及び／又はそれらの中の電気的構成要素を稼働させるために必要とされる電力の全て又は一部を提供してもよい。
【０１０３】
水産養殖センタ及び／又はデータセンタと併設された発電所を含む開示されたシステムのあるいくつかの実施形態は、独立して稼働している同一の発電所、水産養殖センタ及び／又はデータセンタ（例えば、水及び／又は電気が一方から他方へ移動しうるように接続されていない水産養殖センタ及び／又は発電所、データセンタ）と比較して、より少ない炭素排出を発生させるように構成されている。また、水産養殖センタ及び／又はデータセンタと併設された発電所を含む開示されたシステムのいくつかの変形例は、独立して稼働している同一の発電所、水産養殖センタ及び／又はデータセンタ（例えば、水及び／又は電気が一方から他方へ移動しうるように接続されてない水産養殖センタ及び／又は発電所、データセンタ）と比較して、より少ないエネルギー（例えば、電気エネルギー）を使用するように構成されている。そのため、水産養殖センタ及び／又はデータセンタと併設された発電所を含む開示されたシステムの選ばれた態様は、独立して稼働している同一の発電所、水産養殖センタ及び／又はデータセンタよりエネルギー効率が高くなるように構成されている。
【０１０４】
（水脱塩プラント）
あるいくつかの例で、開示されたシステムは、一つ以上の脱塩プラントを選択的に有する。本明細書で使用される「脱塩プラント」という用語は、水を脱塩するために構成及び／又は使用される施設を指す。いくつかの実施形態では、脱塩プラントは、水を脱塩するための構成要素を収容する。
【０１０５】
いくつかの変形例で、脱塩プラントは蒸留（例えば、真空蒸留）により稼働する。脱塩プラントは、水（例えば、塩水）を沸騰させて塩濃度が著しく減少又は除去された水（例えば水蒸気）を収集するように構成されていてもよい。いくつかの態様で、脱塩プラントは水を大気圧未満で沸騰させる。いくつかの態様で、脱塩プラントは、多段フラッシュ蒸留により稼働する。そのため、脱塩プラントは、多段の同時熱交換器である量の水を蒸気にフラッシュすることにより水（例えば海水）を蒸留する一つ以上の工程によって稼働するように構成されていてもよい。特定の例で、蒸留（例えば、真空蒸留）を用いる脱塩プラントは、一つ以上の工程で熱せられた水（例えば、温水）を採用する。脱塩プラントのあるいくつかの変形例は、蒸留及び逆浸透処理の両方を用いることにより水を脱塩するように構成されている。
【０１０６】
あるいくつかの実施形態では、開示されたシステムの脱塩プラントは、逆浸透脱塩プラントである。いくつかの態様で、逆浸透脱塩プラントは、水を脱塩するために圧力及び／又は一つ以上の半透膜を使用する。逆浸透脱塩プラントのあるいくつかの態様で、水は、その中から塩及び／又は鉱物及び／又は他の不純物を取り除くために、一つ以上の半透膜を通過させられる。いくつかの例で、脱塩処理に入れられる水（例えば塩水）の温度がより高ければ、逆浸透脱塩プラントの脱塩処理の効率はより高い。種々の実施形態では、脱塩処理に入れられる水（例えば塩水）の温度がより高ければ、逆浸透脱塩プラントの脱塩処理は脱塩された水の体積あたりより少ないエネルギーを使用する。
【０１０７】
いくつかの態様で、水を脱塩することにより、脱塩プラントは脱塩された水及び／又は濃塩水（例えば、脱塩された水及び濃塩水の両方）を生じてもよい。本明細書で使用される「濃塩水」という用語は、脱塩プラントから排水された溶液をいう。選ばれた態様で、濃塩水は、塩（例えば、塩化ナトリウム）及び水を含む溶液（例えば濃縮液）であってもよい。選ばれた態様で、濃塩水は３．５％から２６％又は５％から２６％の範囲の塩濃度を有する。あるいくつかの実施形態では、濃塩水は、脱塩中に水から取り除かれた一つ以上の不純物（例えば、鉱物又は他の成分）を含む。いくつかの例で、濃塩水は、脱塩プラントの処理（例えば洗浄）に使用される化学物質の残留物を含んでもよい。
【０１０８】
脱塩プラントの実施形態は、水を浄化するように構成された少なくとも一つのフィルタを有する。いくつかの態様で、取水口の少なくとも一つのフィルタは、一つ以上の半透膜を有する。
【０１０９】
一部の例で、脱塩プラントは、ある量の水がプラントを通って移動できるように構成されている。選ばれた実施形態では、脱塩プラントは、動作可能に接続された管及び／又はコンテナの相互接続された脱塩構造を通って移動することにより、ある量の水がプラントを通って移動できるように構成されている。選ばれた変形例で、動作可能に接続された管及び／又はコンテナの相互接続された脱塩構造は、本明細書に記載される水温制御サブシステム及び／又は水冷サブシステム及び／又は取水口と同一及び／又は異なる材質又は材質の種類で構成されている。特定の実施形態では、脱塩プラントの動作可能に接続された管及び／又はコンテナの相互接続された脱塩構造は、水源から水を受け入れる連結要素、及び／又は脱塩プラントから水を排水する排水口に接続されているか、及び／又はそれらを有している。
【０１１０】
特定の態様で、脱塩プラントは、脱塩プラントを通る（例えば、脱塩プラント内の動作可能に接続された管及び／又はコンテナの相互接続された脱塩構造を通る）水の移動を制御する一つ以上のバルブを有する。いくつかの実施形態では、バルブは制御可能である（例えば指定された信号又は動作に反応して開閉するように構成されている）。いくつかの態様で、それぞれのバルブは個別に制御可能である（例えば、あるバルブは開閉でき、他のバルブはできない）。選ばれた例で、一つ以上のバルブは電気的構成要素を有し、それに動作可能に接続された制御部から電子信号を受信するように構成されていてもよい。
【０１１１】
種々の態様で、脱塩プラントは、水が水源（例えば、水温制御サブシステム及び／又は水冷サブシステム）からプラント内へ移動する（すなわち流れる）ことが可能なように構成されている。いくつかの実施形態では、水脱塩プラントの水源は水産養殖センタ（例えば、併設された水産養殖センタ）の水温制御サブシステムである。いくつかの実施形態では、水脱塩プラントの水源はデータセンタ（例えば、併設されたデータセンタ）の水冷サブシステムである。そのため、所望の場合、水脱塩プラントは、水温制御サブシステム又は水冷サブシステム又はそれらの一部（例えば、温水排水口又は排出口）及び／又は他の源（例えば発電所）から温水を受け入れるように構成されていてもよい。いくつかの実施形態では、水脱塩プラントは、脱塩プラント内に受け入れられた温水が、その中の一つ以上の水脱塩工程で使用されるように構成されている。
【０１１２】
あるいくつかの態様で、脱塩プラントは、一つ以上の連結要素を有する。連結要素は、水温制御サブシステム又は水冷サブシステムに接続され、そこから水を受け入れるように構成されていてもよい。いくつかの態様で、一つ以上の連結要素は、脱塩プラント内、及び／又は水産養殖センタ内、及び／又は脱塩プラントと水産養殖センタとの間（例えば、脱塩センタと水産養殖センタの接点）に配置されている。選ばれた例で、一つ以上の連結要素は、脱塩プラントと水産養殖センタとの間を流体連通する管又は一続きの管である。いくつかの実施形態では、一つ以上の連結要素は、水産養殖センタの温水排水口又は排出口へ動作可能に接続されている（例えば水密に取り付けられている）。一つ以上の連結要素は、本明細書に記載されるような取水口（例えば冷水取水口）へ動作可能に接続されていてもよい。そのため、水が脱塩プラントに入る前に、水産養殖センタの水温制御サブシステム又はデータセンタの水冷サブシステムを出ていく水（例えば、温水）に、水（例えば、冷水）が加えられてもよい。一つ以上の連結要素は、本明細書に記載されるような排水口（例えば、温水排水口）に動作可能に接続されていてもよい。そのため、連結要素を通って流れるように向けられた水の全て又は一部は、水源内へ流れるように向けられてもよく、連結要素を通って流れるように向けられた水の全て又は一部は、水脱塩プラント内へ流れるように向けられてもよい。一つ以上の連結要素はまた、一つ以上の他の連結要素に動作可能に接続されていてもよい。
【０１１３】
あるいくつかの実施形態では、連結要素は、ある時間（例えば、１分又は１時間又は１日）あたりにある量の水（例えば、海水）を連結要素を通して移動（例えば、流れる）させるように構成されている。例えば、連結要素は、以下の量までの水をそれらを通して移動（例えば、流動）させるように構成されていてもよい：５００Ｌ／日、１，０００Ｌ／日、５，０００Ｌ／日、１０，０００Ｌ／日、１５，０００Ｌ／日、２０，０００Ｌ／日、２５，０００Ｌ／日、３０，０００Ｌ／日、３５，０００Ｌ／日、４０，０００Ｌ／日、４５，０００Ｌ／日、５０，０００Ｌ／日、５５，０００Ｌ／日、６０，０００Ｌ／日、６５，０００Ｌ／日、７０，０００Ｌ／日、７５，０００Ｌ／日、８０，０００Ｌ／日、８５，０００Ｌ／日、９０，０００Ｌ／日、９５，０００Ｌ／日、１００，０００Ｌ／日、１５０，０００Ｌ／日、２００，０００Ｌ／日、２５０，０００Ｌ／日、３００，０００Ｌ／日、３５０，０００Ｌ／日、４００，０００Ｌ／日、４５０，０００Ｌ／日、５００，０００Ｌ／日、５５０，０００Ｌ／日、６００，０００Ｌ／日、６５０，０００Ｌ／日、７００，０００Ｌ／日、７５０，０００Ｌ／日、８００，０００Ｌ／日、８５０，０００Ｌ／日、９００，０００Ｌ／日、９５０，０００Ｌ／日、百万Ｌ／日、５百万Ｌ／日、１千万Ｌ／日、２千万Ｌ／日、３千万Ｌ／日、４千万Ｌ／日、５千万Ｌ／日、６千万Ｌ／日、７千万Ｌ／日、８千万Ｌ／日、９千万Ｌ／日、１億Ｌ／日、１億１千万Ｌ／日、１億２千万Ｌ／日、１億３千万Ｌ／日、１億４千万Ｌ／日、１億５千万Ｌ／日、１億６千万Ｌ／日、１億７千万Ｌ／日、１億８千万Ｌ／日、１億９千万Ｌ／日、２億Ｌ／日、２億２千万Ｌ／日、２億４千万Ｌ／日、２億６千万Ｌ／日、２億８千万Ｌ／日、３億Ｌ／日、４億Ｌ／日、５億Ｌ／日、又は１０億Ｌ／日。連結要素はまた、それらを通って１０億Ｌ／日を超える水を移動（例えば、流動）させるように構成されていてもよい。特定の実施形態では、連結要素は、５，０００Ｌ／日から１０億Ｌ／日、５，０００Ｌ／日から百万Ｌ／日、５，０００Ｌ／日から１億Ｌ／日、５，０００Ｌ／日から２０，０００Ｌ／日、２０，０００Ｌ／日から４０，０００Ｌ／日、４０，０００Ｌ／日から６０，０００Ｌ／日、６０，０００Ｌ／日から８０，０００Ｌ／日、８０，０００Ｌ／日から１００，０００Ｌ／日、１００，０００Ｌ／日から１２０，０００Ｌ／日、１２０，０００Ｌ／日から１４０，０００Ｌ／日、１４０，０００Ｌ／日から１６０，０００Ｌ／日、１６０，０００Ｌ／日から１８０，０００Ｌ／日、１８０，０００Ｌ／日から２００，０００Ｌ／日、２００，０００Ｌ／日から２５０，０００Ｌ／日、２５０，０００Ｌ／日から３００，０００Ｌ／日、３００，０００Ｌ／日から３５０，０００Ｌ／日、１００，０００Ｌ／日から２００，０００Ｌ／日、２００，０００Ｌ／日から３００，０００Ｌ／日、３００，０００Ｌ／日から４００，０００Ｌ／日、４００，０００Ｌ／日から５００，０００Ｌ／日、５００，０００Ｌ／日から６００，０００Ｌ／日、６００，０００Ｌ／日から７００，０００Ｌ／日、７００，０００Ｌ／日から８００，０００Ｌ／日、８００，０００Ｌ／日から９００，０００Ｌ／日、９００，０００Ｌ／日から百万Ｌ／日、百万Ｌ／日から２千万Ｌ／日、２千万Ｌ／日から４千万Ｌ／日、４千万Ｌ／日から６千万Ｌ／日、６千万Ｌ／日から８千万Ｌ／日、又は８千万Ｌ／日から１億Ｌ／日の範囲のいずれかにある量の水をそれらを通って移動させるように構成されていてもよい。いくつかの態様で、連結要素を通る水の移動（例えば、流動）量は、期間（例えば１分、１時間、１日、１か月、１年）内で可変である。
【０１１４】
いくつかの実施形態では、脱塩プラントは、濃塩水が排水口を通って脱塩プラントを出る（すなわち、流れる）ように構成されている。あるいくつかの例で、脱塩プラントは、本明細書に記載されるような排出口に（例えば、流体連通で）動作可能に接続されている。いくつかの態様で、脱塩プラントは、水が脱塩プラントから出て（例えば、排水口を通って）水産養殖センタ（例えば、淡水水産養殖センタ）へと流れ込むように構成されている。
【０１１５】
種々の態様で、脱塩プラントは、脱塩された水（例えば低い塩濃度を有する水）が水を排除する特徴部を通って脱塩プラントを出るように構成されている。水を排除する特徴部は、一つ以上の管であってもよい。水を排除する特徴部はまた、脱塩された水を使用及び／又は貯水し得る場所に脱塩された水を輸送するように構成されていてもよい。あるいくつかの態様で、水を排除する特徴部はまた、そこから脱塩された水がさらに輸送可能である場所へ脱塩された水を輸送するように構成されていてもよい。
【０１１６】
いくつかの実施形態では、水を排除する特徴部は水産養殖センタに動作可能に接続されている。いくつかの態様で、脱塩プラントから出て水を排除する特徴部を通って移動する水は水産養殖センタ（例えば、淡水水産養殖センタ）で使用されてもよい。
【０１１７】
あるいくつかの態様で、脱塩プラントはポンプを有する。いくつかの実施形態では、ポンプは、水を本明細書に記載されるような脱塩プラント及び／又は他の構成要素（例えば、水産養殖センタ；水温制御サブシステム；データセンタ；水冷サブシステム；取水口；及び／又は排水口）を通して移動させる手段である。特定の例で、ポンプは、本明細書に記載されるような脱塩プラント及び／又は他の構成要素を通して水を一方向又は双方向に移動させる。いくつかの実施形態では、ポンプは電気を動力とするか、及び／又はガソリンを動力とするか、及び／又は他の手段を動力とする。あるいくつかの態様で、ポンプは、本明細書に記載されるような動力源（すなわち水産養殖センタの動力源）に動作可能に接続されている。いくつかの例で、ポンプは発電所に動作可能に接続されていてもよい。特定の実施形態では、潮流、及び／又は潮流を動力とするポンプは、水を本明細書に記載される脱塩プラント及び／又は他の構成要素（すなわち、水産養殖センタ）を通して移動させる。いくつかの実施形態では、一つ以上のポンプは、本明細書に記載されるような水産養殖センタ及び／又は脱塩プラント内に配置されている。選ばれた態様で、一つ以上のポンプは、本明細書に記載されるような水産養殖センタ及び／又は脱塩プラントの外部に配置されている。
【０１１８】
所望の場合、脱塩プラントは、電気的構成要素を有する。例えば脱塩プラントは、温度及び／又は照明制御システム、並びに水を脱塩するための電気システムを有してもよい。あるいくつかの態様で、脱塩プラント（例えば、独立して稼働している脱塩プラント）は、脱塩された水の夫々の体積に対してある量のエネルギー（例えば、電気エネルギー）を使用する。
【０１１９】
そのため、脱塩プラントは、少なくとも一つの動力源（例えば、本明細書に記載されたような一つ以上の発電所及び／又はデータセンタの動力源）に動作可能に接続されていてもよい。脱塩プラントのあるいくつかの実施形態は、動力源（例えばそこから電力を得てもよい電源）を有する。適切な場合、及び上述のように、動力源は、再生可能エネルギー源から電力を生成するか又は得る。あるいくつかの態様で、脱塩プラントは、水産養殖センタ又はその一つ以上の構成要素に動作可能に接続（例えば、電気的に接続）されていてもよい。
【０１２０】
選ばれた態様で、脱塩プラント及び／又は脱塩プラントの動力源は、炭素排出を発生させる。あるいくつかの態様で、脱塩プラント（例えば、独立して稼働している脱塩プラント）は、脱塩プラント又はその構成要素により実行されるそれぞれの機能又は機能の一部について炭素排出量を発生させる。例えば、いくつかの実施形態では、脱塩プラントは産出された脱塩された水の体積あたり一定量の炭素排出を発生させる。
【０１２１】
あるいくつかの例で、開示されたシステムは、一つ以上の水産養殖センタと併設された一つ以上の脱塩プラントを含む。上述のように、開示されたシステムのいくつかの実施形態は、水産養殖センタ（例えば、併設された水産養殖センタ）から排出された温水を受け入れ且つ脱塩するように構成された脱塩プラントを含む。水産養殖センタから排出された温水を受け入れ且つ脱塩するように構成された脱塩プラントを含む開示されたシステムのあるいくつかの変形例は、それによって、独立して稼働する同一の水産養殖センタ及び水脱塩プラント（例えば、水又は電力が一方から他方へ移動できるように接続されていない水産養殖センタ及び水脱塩プラント）と比較してより少ない炭素排出を発生させるように構成されている。また一部の例で、開示されたシステムは、水産養殖センタから排出された温水を受け入れ且つ脱塩するように構成された脱塩プラントを含む開示されたシステムは、それによって、独立して稼働する同一の水産養殖センタ及び水脱塩プラント（例えば、水又は電気が一方から他方へ移動できるように接続されていない水産養殖センタ及び水脱塩プラント）と比較してより少ないエネルギー（例えば、電気エネルギー）を使用するように構成されている。
【０１２２】
（方法）
上で要約したように、本開示の態様はまた、例えば上述のような熱源（データセンタ等）を冷却し、水生生物を養殖する方法を含む。あるいくつかの例で、方法は、（１）冷水取水口及び温水排水口を有する水冷サブシステムでデータセンタを冷却すること；及び（２）データセンタと併設され、温水排水口から温水を受け取る温水取水口を有する水温制御サブシステムを備える水産養殖センタで水生生物を養殖すること、を含む複数のステップ（例えば、連続ステップ及び／又は同時ステップ）を含む。
【０１２３】
本明細書で使用されるように、「養殖する」という用語は、生物（例えば、水生生物）を養殖、及び／又は孵化、及び／又は繁殖、及び／又は飼育、及び／又は育成することを指す。
【０１２４】
「冷却」という用語は、広く且つ一般に、特徴部（例えばデータセンタ及び／又は水産養殖センタ又はそれらの中の一つ以上の構成要素の一部）又は特徴部の一部（例えばデータセンタの一つ以上の構成要素により熱せられたデータセンタの一部）の温度を下げることを指すために用いられる。同様に、「加熱」という用語は、広く及び一般的に、特徴部（例えば、水産養殖センタ又はその中の一つ以上の構成要素の一部及び／又はその中の水）又は特徴部の一部分（例えば、水産養殖センタの一部分及び／又はその中の大量の水）の温度を上げることを指すために用いられる。
【０１２５】
そのため、いくつかの実施形態では、データセンタを水冷サブシステムで冷却することは、データセンタの少なくとも一部又はデータセンタの一つ以上の構成要素（例えば、そのコンピュータシステム）の温度を下げることを含む。
【０１２６】
本明細書で使用されるように、「冷水取水口」という用語は、冷水を受け入れるように構成された取水口を指す。いくつかの実施形態では、水冷サブシステムでデータセンタを冷却することは、水冷サブシステムの少なくとも一部を通じて水（例えば、冷水）を移動させる（例えば、断続的に又は連続的にポンプ圧送する）ことを含む。
【０１２７】
開示された方法のいくつかの例で、データセンタを冷却し水生生物を養殖することは、冷水取水口から水（例えば、海水）を得る（例えば、断続的に又は連続的にポンプ圧送する）ことを含む。開示された方法の変形例は、冷水取水口、又はその中の少なくとも一つの開口部を水源の特定の深度（例えば、水源の有光層より下）に配置すること含む。開示された方法のいくつかの態様で、水源は大洋又は海である。
【０１２８】
開示された方法の特定の態様は、データセンタの水冷サブシステムから水温制御サブシステムへ水（例えば、温水）を受け入れることを含む。そのため、開示された方法の種々の態様は、水冷サブシステムから水温制御サブシステム（例えば、水温制御サブシステムに動作可能に接続された水温制御サブシステム）へ水（例えば、温水）を移動させる（ポンプ圧送する）ことを含む。
【０１２９】
開示された方法のあるいくつかの態様で、方法は、脱塩プラントから水域（例えば、大洋又は海）へ濃塩水を排出する（例えば、断続的に又は連続的にポンプ圧送する）ことを含む。開示された方法の特定の態様は、水域の特定の深度（例えば、大洋又は海の有光層内又はその下）で濃塩水を排出することを含む。
【０１３０】
開示された方法の実施形態は、水源内の１５ｍ以上の深度において、冷水取水口又はその中の少なくとも一つの開口部を配置すること、及び／又は濃塩水を排出することを含む。方法のいくつかの変形例は、水域（例えば、大洋又は海）内の１ｍ以上、２ｍ以上、３ｍ以上、４ｍ以上、５ｍ以上、６ｍ以上、７ｍ以上、８ｍ以上、９ｍ以上、１０ｍ以上、１１ｍ以上、１２ｍ以上、１３ｍ以上、１４ｍ以上、１６ｍ以上、１７ｍ以上、１８ｍ以上、１９ｍ以上、２０ｍ以上、２５ｍ以上、３０ｍ以上、３５ｍ以上、４０ｍ以上、４５ｍ以上、５０ｍ以上、６０ｍ以上、７０ｍ以上、８０ｍ以上、９０ｍ以上、１００ｍ以上、２００ｍ以上、及び／又は３００ｍ以上の深度において、冷水取水口又はその中の少なくとも一つの開口部を配置すること、及び／又は濃塩水を排出することを含む。選ばれた例で、開示された方法は、水域（例えば、大洋又は海）内の特定の層（例えば受光層及び／又は薄光層、及び／又は、有光層及び／又は深海底層）より下及び／又は内で、冷水取入口、又はその中の少なくとも一つの開口部を配置すること、及び／又は濃塩水の排出を行うことを含む。
【０１３１】
方法のあるいくつかの変形例で、水源内の特定の深度（例えば深度１５ｍ以上）において、冷水取入口又はその中の少なくとも一つの開口部を配置すること、及び／又は濃塩水を排出することは、取水口の中心（例えば取水口の最中心点）並びに／又は排水口の中心（例えば温水排水口の最中心点）並びに／又は取水口及び／若しくは排水口の上縁（例えば水面に最も近い縁又は部分）、並びに／又は取水口及び／若しくは排水口の下縁（例えば水面から最も遠い縁又は部分）を、水面下の特定の深度に配置することを含む。所望の場合、水源内の特定の深度に配置された取水口及び／又は排水口は開口部を有してもよく、開口部の中心（例えば円形及び／又は正方形の開口部の最中心点）、及び／又は開口部の上縁（例えば水面に最も近い縁又は部分）、及び／又は開口部の下縁（例えば水面から最も遠い縁又は部分）は、水面下の特定の深度に配置されている。
【０１３２】
上で示したように、システムのいくつかの実施形態は更に、併設された脱塩プラントを含む。斯かる実施形態では、方法は、水を脱塩することを更に含んでいてもよい。「脱塩する」という用語は、広く且つ一般に、水を脱塩するための一つ以上の工程（例えば、逆浸透）を実行することを指す。そのため、いくつかの実施形態では、水を脱塩することは、水産養殖センタ及び／又はデータセンタの排水口から脱塩プラント（例えば、水産養殖センタ及び／又はデータセンタと併設された脱塩プラント）へ水（例えば、温水）を受け入れること、及び水を脱塩するための一つ以上の脱塩工程を実行することを含む。開示された方法のいくつかの実施形態では、方法は、水産養殖センタ及び／又はデータセンタ及び／又は脱塩プラントを併設すること及び／又は動作可能に接続することを含む。
【０１３３】
方法の特定の態様で、水を脱塩することは、データセンタ及び／又は水産養殖センタの排水口から脱塩プラント（例えば、データセンタ及び／又は水産養殖センタと併設された脱塩プラント）へ水を受け入れること、及び水を脱塩するための一つ以上の工程を実行することを含む。いくつかの例で、水を脱塩することは、水（例えば、温水）を脱塩プラントの一つ以上の構成要素を通じて移動させ（例えば、断続的に又は連続的にポンプ圧送する）こと、及びそれにより水を脱塩することを含む。
【０１３４】
方法のいくつかの態様で、脱塩プラントは逆浸透脱塩プラントである。そのため、選ばれた例で、水は一つ以上の逆浸透工程を用いて脱塩される。いくつかの実施形態では、水（例えば、温水）は、それから塩及び／又は鉱物及び／又は他の不純物を取り除くため、その水を一つ以上の半透膜に通過させることにより脱塩される。
【０１３５】
上述のように、いくつかの実施形態では、水産養殖センタ、データセンタ、脱塩プラント及び／又はそれらの動力源は炭素排出を発生させる。あるいくつかの態様で、水産養殖センタ及び／又はデータセンタ及び／又は脱塩プラント（例えば、独立して稼働する脱塩プラント）は、データセンタ及び／又は脱塩プラント又はそれらの構成要素により実行されるそれぞれの機能又は機能の一部についてある量の炭素排出を発生させる。例えばいくつかの変形例で、脱塩プラントは産出された脱塩された水の体積あたり一定量の炭素排出を発生させる。
【０１３６】
また、上述のように、データセンタ、及び／又は水産養殖センタ及び／又は脱塩プラントを併設し且つ／又は動作可能に接続することにより、それらの全体的な炭素排出を減らすことが可能である。そのため、いくつかの例で、水生生物を養殖し、且つ水産養殖センタ及び／又はデータセンタと併設された脱塩プラントにおいて塩水を脱塩する開示された方法は、同一の水産養殖センタ、データセンタ、及び水脱塩プラントを独立して稼働させること（例えば、水又は電気が一方から他方へ移動できるようには接続されていない水産養殖センタ及びデータセンタ及び水脱塩プラント）と比較して、より少ない炭素排出を発生させる。あるいくつかの変形例で、水生生物を養殖し、且つ併設されたデータセンタを冷却する開示された方法は、独立して稼働している同一の水産養殖センタ及びデータセンタと比較してより小さいカーボンフットプリント（二酸化炭素排出量）を発生させることを含む。
【０１３７】
上述のように、特定の例で、データセンタ及び／又は水産養殖センタ及び／又は脱塩プラントは、データセンタ及び／又は脱塩プラント及び／又は水産養殖センタ又はそれらの構成要素により実行される各機能に対してある量のエネルギーを使用する。例えば、水産養殖センタは、養殖される水生生物の量及び／又は水温制御サブシステムで加熱される水の体積あたり決まった量のエネルギーを使用することがある。
【０１３８】
また、上述のように、水産養殖センタ及びデータセンタを併設し且つ／又は動作可能に接続することにより、それらの全体のエネルギー効率は向上しうる。そのため、水生生物を養殖し、且つ水産養殖センタと併設されたデータセンタを冷却する開示された方法は、独立して稼働する同一の水産養殖センタ及びデータセンタ（例えば、水又は電気が一方から他方へ移動できるように接続されない水産養殖センタ及びデータセンタ）と比較して、養殖される水生生物の量及び／又は水温制御サブシステムで加熱される水の体積あたりの使用エネルギーがより少ない場合がある。あるいくつかの態様で、水生生物を養殖し、且つ水産養殖センタと併設されたデータセンタを冷却する開示された方法は、独立して稼働する同一の水産養殖センタ及びデータセンタと比較して、よりエネルギー効率が高い方法で水生生物を養殖し且つデータセンタを冷却することを含む。
【０１３９】
あるいくつかの態様で、開示された方法は、水産養殖センタ、及び／又は脱塩プラント、及び／又は発電所及び／又はデータセンタを併設し且つ／又は動作可能に接続することを含む。そのため、あるいくつかの実施形態では、開示された方法は、水産養殖センタ、脱塩プラント、及び／又はデータセンタと併設された発電所から、水産養殖センタ、及び／又は脱塩プラント及び／又はデータセンタを稼働させるための電力を得ることを含む。
【０１４０】
上述のように、いくつかの例で、水産養殖センタ、データセンタ、脱塩プラント、及び／又は発電所は炭素排出を発生させる。あるいくつかの態様で、発電所（例えば、電力を作り出すために独立して稼働している発電所）は発電所又はその構成要素により実行される各機能又は機能の一部分のためにある量の炭素排出を発生させる。例えば、発電所は作り出される電力量あたり一定量の炭素排出を発生させることがある。
【０１４１】
また、上述のように、水産養殖センタ、データセンタ、脱塩プラント、及び／又は発電所を併設し、且つ／又は動作可能に接続することにより、それらの全体の炭素排出を減らすことができる。そのため、種々の例で、水産養殖センタ、及び／又はデータセンタ及び／又は脱塩プラントと併設された発電所から、水産養殖センタ、及び／又はデータセンタ及び／又は脱塩プラントを稼働させるための電力を得ることを含む開示された方法は、同一の水産養殖センタ、及び／又はデータセンタ、及び／又は脱塩プラント及び／又は発電所を独立して稼働する場合と比較して、炭素排出がより少なくなる。いくつかの態様で、開示された方法は、水産養殖センタ、及び／又は脱塩プラント、及び／又はデータセンタ及び／又は発電所の独立した稼働と比較して、より小さいカーボンフットプリントを発生させることを含む。
【０１４２】
上述のように、水産養殖センタ、及び／又は脱塩プラント、及び／又はデータセンタ及び／又は発電所を併設し且つ／又は動作可能に接続することにより、それらの全体のエネルギー効率を改善することができる。そのため、いくつかの例で、水産養殖センタ及び脱塩プラントと併設された発電所から、水産養殖センタ及び脱塩プラントを稼働させるための電力を得ることを含む開示された方法は、養殖される水生生物の量及び／又は水温制御サブシステムで加熱される水の体積若しくは脱塩される水の体積あたり、独立して稼働している（例えば、動作的に接続されずに稼働している）同一の水産養殖センタ、水脱塩プラント、データセンタ、及び／又は発電所より少ないエネルギーを使用する。いくつかの態様で、水産養殖センタ及び脱塩プラントと併設された発電所から、水産養殖センタ及び脱塩プラントを稼働させるための電力を得ることにより、水生生物を養殖し且つ水産養殖センタと併設された脱塩プラントにおいて塩水を脱塩する開示された方法は、同一の水産養殖センタ、水脱塩プラント及び発電所を独立して稼働させる場合と比較してよりエネルギー効率の高い方法で、水生生物を養殖し、水を脱塩し及び／又は電力を作り出すか若しくは得ることを含む。
【０１４３】
（有用性）
本主題のシステム及び方法は、水生生物を養殖し且つ／又はデータセンタを冷却するために使用され得る。本明細書に記載されるように、あるいくつかの態様で、開示されたシステムは、システムの構成要素を独立して稼働するよりもより効果のある方法で稼働するように構成されていることがある。例えば、データセンタと併設され且つ動作可能に接続された水産養殖センタは、独立して稼働する同一の水産養殖センタ及びデータセンタと比較して、養殖される水生生物の量（例えば、数及び／又は体積及び／又は重量）及び／又はデータセンタの冷却量あたりの使用エネルギーをより少なくすることが可能である。同様に、本明細書で開示される方法は、同一の水産養殖センタ、データセンタ及び脱塩プラントを独立して稼働する方法と比較して、養殖される水生生物の量あたり及び／又は水冷サブシステムにより加熱される水の体積あたり、より少ないエネルギーを用いて水産養殖センタ及び／又はデータセンタ及び／又は脱塩プラントを稼働できるようにする。更に、脱塩プラント及び／又はデータセンタ及び発電所に併設され且つ動作可能に接続された水産養殖センタに関する開示されたシステム及び方法は、水産養殖センタ及び／又は脱塩プラント及び／又はデータセンタ及び／又は発電所が、独立して稼働している同一の水産養殖センタ、脱塩プラント、及び／又はデータセンタ及び発電所と比較して、養殖される水生生物の量あたり及び／又は水温制御サブシステムで加熱される水の体積あたり及び／又はデータセンタの冷却量あたり及び／又は脱塩される水の体積あたり及び／又は作り出されるエネルギーの量あたりの使用エネルギーをより少なくすることができる。
【０１４４】
開示されたシステム及び方法はまた、水産養殖センタ、脱塩プラント、データセンタ及び／又は発電所の周辺環境に対する影響を最小化するための方法で稼働することができる。例えば、開示されたシステムの稼働又は開示された方法の使用により、独立して稼働している同一の水産養殖センタ及びデータセンタと比較してより少ない炭素排出又はより少ない汚染（例えば、熱汚染）を発生させる水産養殖センタ及びデータセンタが結果としてもたらされ得る。また、開示されたシステムの稼働又は開示された方法の使用により、独立して稼働している同一の水産養殖センタ、水脱塩プラント、データセンタ及び発電所と比較してより少ない炭素排出又はより少ない汚染（例えば、熱汚染）を発生させる水産養殖センタ、水脱塩プラント、データセンタ及び発電所が結果としてもたらされ得る。
【０１４５】
したがって、本主題のシステム及び方法は、水産養殖センタ、脱塩プラント、データセンタ及び／又は発電所により使用されるエネルギー量を最小化するために適用され得る。本主題のシステム及び方法はまた、水産養殖センタ、脱塩プラント、データセンタ及び／又は発電所からの炭素排出の量を最小化するためにも適用され得る。稼働効率を高め、炭素排出を最小化することにより、開示されたシステム及び方法は、水産養殖センタ、脱塩プラント、データセンタ及び／又は発電所に関わるコストを最小化し、周辺環境の質を高めることに役立つ。
【０１４６】
本開示の実施形態は更に、以下の付記によって記述される（ただし、限定されない）：
付記１
（ａ）冷水を受け入れ温水を排出するように構成された水冷サブシステムを備える熱源；及び
（ｂ）前記熱源と併設され、前記排出された温水を受け入れるように構成された水温制御サブシステムを備える水産養殖センタ
を備えることを特徴とするシステム。
付記２
前記冷水は大洋又は海から受け入れられることを特徴とする付記１に記載のシステム。
付記３
前記水冷サブシステムは取水口を有することを特徴とする付記１に記載のシステム。
付記４
前記取水口は水源の１５ｍ以上の深度に配置されていることを特徴とする付記３に記載のシステム。
付記５
前記取水口は水源内の有光層より下に配置されていることを特徴とする付記３に記載のシステム。
付記６
前記水産養殖センタから水を排出するための排水口を更に備えることを特徴とする付記１から５のいずれかに記載のシステム。
付記７
前記排水口は水域の１５ｍ以上の深度に配置されていることを特徴とする付記６に記載のシステム。
付記８
前記水域は、前記水冷サブシステムが前記冷水を受け入れるのと同じ水域であることを特徴とする付記７に記載のシステム。
付記９
前記データセンタ及び水産養殖センタと併設された発電所を更に備えることを特徴とする付記１から８のいずれかに記載のシステム。
付記１０
前記発電所は前記データセンタ及び前記水産養殖センタの両方に動作可能に接続されていることを特徴とする付記９に記載のシステム。
付記１１
前記熱源及び水産養殖センタは、独立して稼働している同一の熱源及び水産養殖センタと比較して、発生させる炭素排出がより少なくなるように構成されていることを特徴とする付記１から１０のいずれかに記載のシステム。
付記１２
前記熱源及び水産養殖センタは、独立して稼働している同一の熱源及び水産養殖センタと比較して、熱源冷却量あたり及び養殖される水生生物の量あたりの使用エネルギーがより少ないように構成されていることを特徴とする付記１から１１のいずれかに記載のシステム。
付記１３
前記熱源はデータセンタであることを特徴とする付記１から１２のいずれかに記載のシステム。
付記１４
前記データセンタの電力使用効率が２未満であることを特徴とする付記１３に記載のシステム。
付記１５
前記データセンタの電力使用効率が１から１．３の範囲であることを特徴とする付記１４に記載のシステム。
付記１６
熱源を冷却する方法であって、
（ａ）冷水取水口と温水排水口を備える水冷サブシステムで熱源を冷却すること；及び
（ｂ）前記熱源と併設され、前記温水排水口から水を受け入れる温水取水口を有する水温制御サブシステムを備える水産養殖センタで水生生物を養殖すること
を備えることを特徴とする方法。
付記１７
前記水冷サブシステムは前記冷水取水口から水を得るように構成されていることを特徴とする付記１６に記載の方法。
付記１８
前記冷水取水口は水源内の有光層より下に配置されていることを特徴とする付記１７に記載の方法。
付記１９
前記水源は大洋又は海であることを特徴とする付記１８に記載の方法。
付記２０
独立して稼働している同一の熱源及び水産養殖センタと比較して、発生させる炭素排出がより少ないことを特徴とする付記１から１９のいずれかに記載の方法。
付記２１
独立して稼働している同一の熱源及び水産養殖センタと比較して、熱源冷却量あたり及び養殖される水生生物の量あたりの使用エネルギーがより少ないことを特徴とする付記１６から２０のいずれかに記載の方法。
付記２２
前記熱源及び水産養殖センタと併設された発電所から前記熱源及び水産養殖センタを稼働させるための電力を得ることを更に含むことを特徴とする付記１６から２１に記載の方法。
付記２３
独立して稼働している同一の熱源、水産養殖センタ及び発電所より発生させる炭素排出が少ないことを特徴とする付記２２に記載の方法。
付記２４
独立して稼働している同一の熱源、水産養殖センタ及び発電所と比較して、熱源冷却量あたり又は養殖される水生生物の量あたりの使用エネルギーがより少ないことを特徴とする付記２２又は２３に記載の方法。
付記２５
前記熱源はデータセンタであることを特徴とする付記１６から２４のいずれかに記載の方法。
付記２６
前記データセンタの電力使用効率を２未満に維持することを備えることを特徴とする付記２５に記載の方法。
付記２７
前記データセンタの電力使用効率を１から１．３の範囲に維持することを備えることを特徴とする付記２６に記載の方法。
付記２８
（ａ）冷水を受け入れて温水を排出するように構成された水温制御サブシステムを備える水産養殖センタ；及び
（ｂ）前記水産養殖センタと併設され、前記排出された温水を受け入れて脱塩化するように構成された水脱塩プラント
を備えることを特徴とするシステム。
付記２９
前記冷水は大洋又は海から受け入れられることを特徴とする付記２８に記載のシステム。
付記３０
前記水温制御サブシステムは取水口を有することを特徴とする付記２８に記載のシステム。
付記３１
前記取水口は水源の１５ｍ以上の深度に配置されていることを特徴とする付記３０に記載のシステム。
付記３２
前記取水口は水源内の有光層より下に配置されていることを特徴とする付記３０に記載のシステム。
付記３３
前記水脱塩プラントから濃塩水を排出するための排水口を更に備えることを特徴とする付記２８に記載のシステム。
付記３４
前記排水口は水域の１５ｍ以上の深度に配置されていることを特徴とする付記３３に記載のシステム。
付記３５
前記水域は、前記水温制御サブシステムが冷水を受け入れるのと同一の水域であることを特徴とする付記３４に記載のシステム。
付記３６
前記水産養殖センタ及び前記水脱塩プラントと併設された発電所を更に備えることを特徴とする付記２８に記載のシステム。
付記３７
前記発電所は前記水産養殖センタ及び前記水脱塩プラントの両方に動作可能に接続されていることを特徴とする付記３６に記載のシステム。
付記３８
前記水産養殖センタ及び前記水脱塩プラントは、独立して稼働している同一の水産養殖センタ及び水脱塩プラントと比較して、発生させる炭素排出がより少なくなるように構成されていることを特徴とする付記２８に記載のシステム。
付記３９
前記水産養殖センタ、水脱塩プラント及び発電所は、独立して稼働している同一の水産養殖センタ、水脱塩プラント及び発電所と比較して、発生させる炭素排出がより少なくなるように構成されていることを特徴とする付記３６に記載のシステム。
付記４０
前記水産養殖センタ及び水脱塩プラントは、独立して稼働している同一の水産養殖センタ及び水脱塩プラントと比較して、前記水温制御サブシステムで加熱される水の体積あたり及び脱塩される水の体積あたりの使用エネルギーがより少なくなるように構成されていることを特徴とする付記２８に記載のシステム。
付記４１
前記水産養殖センタ、水脱塩プラント及び発電所は、独立して稼働している同一の水産養殖センタ、水脱塩プラント及び発電所と比較して前記水温制御サブシステムで加熱される水の体積あたり及び脱塩される水の体積あたりの使用エネルギーがより少なくなるように構成されていることを特徴とする付記３６に記載のシステム。
付記４２
前記水産養殖センタ及び前記水脱塩プラントと併設されたデータセンタを更に備えることを特徴とする付記２８に記載のシステム。
付記４３
前記データセンタは前記水産養殖センタ及び水脱塩プラントの両方に動作可能に接続されていることを特徴とする付記４２に記載のシステム。
付記４４
前記水産養殖センタ、水脱塩プラント及びデータセンタは、独立して稼働している水産養殖センタ、水脱塩プラント及びデータセンタと比較して、発生させる炭素排出がより少なくなるように構成されていることを特徴とする付記４２に記載のシステム。
付記４５
前記水産養殖センタ、水脱塩プラント及びデータセンタは、独立して稼働している同一のデータセンタ、水脱塩プラント及びデータセンタと比較して、前記水温制御サブシステムで加熱される水の体積あたり及び脱塩される水の体積あたりの使用エネルギーがより少なくなるように構成されていることを特徴とする付記４２に記載のシステム。
付記４６
前記水脱塩プラントは逆浸透脱塩プラントであることを特徴とする付記２８に記載のシステム。
付記４７
前記水産養殖センタは塩水水産養殖センタであることを特徴とする付記２８に記載のシステム。
付記４８
水生生物を養殖する方法であって、
（ａ）冷水取水口及び温水排出口を有する水温制御サブシステムで水産養殖センタ内の水を加熱すること；及び
（ｂ）前記水産養殖センタと併設された脱塩プラントで前記温水排水口から受け入れた温水を脱塩すること、
を備えることを特徴とする方法。
付記４９
前記水温制御サブシステムは前記冷水取水口から海水を得るように構成されていることを特徴とする付記４８に記載の方法。
付記５０
前記脱塩プラントは逆浸透脱塩プラントであることを特徴とする付記４８に記載の方法。
付記５１
前記冷水取水口は水源内の有光層より下に配置されていることを特徴とする付記４８に記載の方法。
付記５２
前記水源は大洋又は海であることを特徴とする付記５１に記載の方法。
付記５３
前記脱塩プラントから前記大洋又は海へ濃塩水を排出することを更に備えることを特徴とする付記５２に記載の方法。
付記５４
前記濃塩水は前記大洋又は海の有光層より下で排出されることを特徴とする付記５３に記載の方法。
付記５５
独立して稼働している同一の水産養殖センタ及び水脱塩プラントと比較して、発生させる炭素排出がより少ないことを特徴とする付記４８に記載の方法。
付記５６
独立して稼働している同一の水産養殖センタ及び水脱塩プラントと比較して、前記水温制御サブシステムで加熱される水の体積あたり及び脱塩される水の体積あたりの使用エネルギーがより少ないことを特徴とする付記４８に記載の方法。
付記５７
前記水産養殖センタ及び前記脱塩プラントと併設された発電所から前記水産養殖センタ及び前記脱塩プラントを稼働させるための電力を得ることを更に備えることを特徴とする付記４８に記載の方法。
付記５８
独立して稼働している同一の水産養殖センタ、水脱塩プラント及び発電所より発生させる炭素排出が少ないことを特徴とする付記５７に記載の方法。
付記５９
独立して稼働している同一の水産養殖センタ、水脱塩プラント及び発電所より、前記水温制御サブシステムで加熱される水の体積あたり及び脱塩される水の体積あたりの使用エネルギーが少ないことを特徴とする付記５８に記載の方法。
付記６０
前記水産養殖センタは塩水水産養殖センタであることを特徴とする付記４８に記載の方法。
付記６１
（ａ）水を受け入れて脱塩するように構成された水脱塩プラント；及び
（ｂ）該水脱塩プラントと併設され、水産養殖に使用するために前記水脱塩プラントから脱塩された水を受け入れるように構成された水産養殖センタ
を備えることを特徴とするシステム。
付記６２
前記水産養殖センタは淡水水産養殖センタであることを特徴とする付記６１に記載のシステム。
付記６３
水生生物を養殖する方法であって、
（ａ）水脱塩プラントに受け入れられた水を脱塩すること；及び
（ｂ）前記水脱塩プラントに併設された水産養殖センタで、前記水脱塩プラントから前記水産養殖センタに受け入れられた脱塩された水を使用して水生生物を養殖すること
を備えることを特徴とする方法。
付記６４
前記水産養殖センタは淡水水産養殖センタであることを特徴とする付記６３に記載の方法。
【０１４７】
前述の発明が、理解を明確にする目的で図及び例を用いてある程度詳細に記述されたが、当業者にとっては、本発明の教示を鑑みて、添付の特許請求の範囲の趣旨又は範囲から逸脱することなく変更及び修正が可能であることは容易に自明である。また、本発明の範囲は添付の特許請求の範囲によってのみ限定されるものであるから、本明細書で使用される用語は特定の実施形態を記述するためだけのものであり、限定を意図されていない。
【０１４８】
したがって、上の記述は単に発明の原理のみを説明している。たとえここに明示的に記述又は図示されていないものであっても、本発明の原理を具現化し且つ本発明の趣旨及び範囲に含まれる種々の構成を当業者が考案することができることが認められる。更に、本明細書中で言及されたすべての例及び暫定的な用語は主に、読者が発明の原理及び発明者により寄与された技術を進歩させるための概念を理解する助けとなることを意図しており、具体的に言及された例及び条件に限定することなく解釈されるべきである。また、発明の原理、態様、及び実施形態、並びにそれらの具体例に言及している本明細書中のすべての記述は、それらの構造的又は機能的な均等物をも含むことを意図されている。また、斯かる均等物には既知の均等物と将来開発される均等物の両方、すなわち構造にかかわらず同じ機能を生み出すものとを含むことが意図されている。したがって、本発明の範囲は本明細書に記載された例示的な実施形態に限定されることを意図されていない。むしろ、本発明の範囲及び趣旨は添付の特許請求の範囲によって具現化される。
【０１４９】
米国特許法第１１９条（ｅ）に従って、本願は、２０１３年３月１５日に出願された米国仮特許出願第６１／８００，４８１号明細書の優先日の権利を主張している。その開示は参照によって本明細書に組み込まれている。
【図１】
2016514450.tif 000003
【図２】
2016514450.tif 000004
【国際調査報告】
2016514450.tif 000005
2016514450.tif 000006